(57)【要約】【課題】  映像コンテンツのシーンごとに設定された視聴制限に対応することができ、視聴制限を解除する権限をもたないユーザでも、記録された映像コンテンツの視聴制限されていないシーンを再生することができる映像コンテンツ記録再生装置を提供する。【解決手段】  ユーザにより設定される視聴制限基準情報と受信中の映像コンテンツデータに番組又はシーン毎に予め付加された前記コンテンツ視聴制限情報とを比較して、視聴制限を設定するか否かを判断する視聴制限設定判断部と、視聴制限設定判断部において前記視聴制限を設定すると判断されたシーンを有する映像コンテンツデータの全体を再生区間として再生プロテクトを設定した実体プレイリストを生成する実体プレイリスト生成部と、視聴制限設定判断部において視聴制限を設定しないと判断されたシーンが再生区間となるように設定した仮想プレイリストを生成する仮想プレイリスト生成部とを備える。【選択図】  図１
2008104137.tif 000002
【特許請求の範囲】
【請求項１】
入力される、番組又はシーン毎に視聴制限をかけるための情報であるコンテンツ視聴制限情報を有する映像コンテンツデータを、記録および再生する映像コンテンツ記録再生装置において、
前記映像コンテンツデータを記録媒体に記録するコンテンツデータ記録部と、
視聴制限をかけるか否かを示す情報であり、前記映像コンテンツデータの前記番組又はシーン毎に対応付けられる情報である制限判断情報を、視聴制限をかけないことを示す情報とするために用いられるユーザ特性情報と、視聴制限をかけるか否かを判断する基準となる情報である視聴制限基準情報とからなるユーザ設定情報を記憶するユーザ設定情報記憶部と、
入力される前記映像コンテンツの前記番組又はシーンの変化により前記コンテンツ視聴制限情報が変更された時点を検出するコンテンツ視聴制限情報変更認識部と、
前記映像コンテンツデータの前記記録媒体への記録開始時に、この記録開始時の前記映像コンテンツデータの前記番組又はシーンが有している前記コンテンツ視聴制限情報と前記視聴制限基準情報とを基に、前記番組又はシーンに対して視聴制限をかけるか否かを判断し、その判断結果を前記制限判断情報に設定し、この制限判断情報を前記番組又はシーンに対応付ける処理を行い、その後、記録中の前記映像コンテンツデータの前記番組又はシーンの変化により前記コンテンツ制限情報が変更された時点を、前記コンテンツ視聴制限情報変更認識部が検出したときは、この変化後の前記番組又はシーンに付加されている前記コンテンツ視聴制限情報と前記視聴制限基準情報とを基に、変化後の前記番組又はシーンに対して視聴制限をかけるか否かを判断し、その判断結果を前記制限判断情報に設定し、この制限判断情報を変化後の前記番組又はシーンに対応付ける処理を前記映像コンテンツデータの記録が終了するまで繰り返し行う視聴制限設定判断部と、
１回の前記記録で前記記録媒体に記録された前記映像コンテンツデータを１つの再生区間とする実体プレイリストを生成するとともに、前記再生区間のなかに、視聴制限をかけると設定された前記制限判断情報が対応付けられた前記番組又はシーンが存在する場合は、前記再生区間全体に対して視聴制限をかけるか否かを示す情報であり、現段階では視聴制限をかけると設定されている再生プロテクト情報を前記実体プレイリストに対応付ける実体プレイリスト生成部と、
前記記録媒体に記録された前記映像コンテンツデータの前記番組又はシーンのうち、前記視聴制限設定判断部において前記視聴制限をかけないと設定された前記制限判断情報が対応付けられている前記番組又はシーンのみを再生区間とする仮想プレイリストを生成する仮想プレイリスト生成部と、
前記実体プレイリストと、前記仮想プレイリストとを記録するプレイリストデータ記録部と、
前記制限判断情報及び前記再生プロテクト情報が、視聴制限をかけると設定されている場合に、外部から入力される制限解除情報が、予め記憶してある前記ユーザ特性情報と一意に対応付くか否かを判断し、対応付くと判断した場合は、前記制限判断情報及び前記再生プロテクト情報に対する設定を、視聴制限をかけるから視聴制限をかけないへ変更する視聴制限解除手段と、
前記記録媒体に記録された前記映像コンテンツデータを、前記仮想プレイリストに基づいて再生するか、前記実体プレイリストのうち、前記再生プロテクト情報が対応付けられていない実体プレイリストに基づいて再生するか、前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部と、
を備えることを特徴とする映像コンテンツ記録再生装置。
【請求項２】
複数の番組又はシーンで構成される映像コンテンツデータを、記録および再生する映像コンテンツ記録再生装置において、
前記映像コンテンツデータを記録媒体に記録するコンテンツデータ記録部と、
視聴制限を解除するために用いられるユーザ特性情報を記憶するユーザ特性情報記憶部と、
１回の前記記録で前記記録媒体に記録された前記映像コンテンツデータを１つの再生区間とする実体プレイリストを生成するとともに、前記再生区間のなかの番組またはシーンに視聴制限をかけることが外部から指示された場合は、前記再生区間全体に対して視聴制限をかけるか否かを示す情報であり、現段階では視聴制限をかけると設定されている再生プロテクト情報を前記実体プレイリストに対応付ける実体プレイリスト生成部と、
前記記録媒体に記録された前記映像コンテンツデータの前記番組又はシーンのうち、前記視聴制限をかけることが外部から指示された前記番組又はシーン以外を再生区間とする仮想プレイリストを生成する仮想プレイリスト生成部と、
前記実体プレイリストと、前記仮想プレイリストとを記録するプレイリストデータ記録部と、
前記再生プロテクト情報が視聴制限をかけると設定されている場合に、外部から入力される制限解除情報が、予め記憶してある前記ユーザ特性情報と一意に対応付くか否かを判断し、対応付くと判断した場合は、前記再生プロテクト情報に対する設定を、視聴制限をかけるから視聴制限をかけないへ変更する視聴制限解除手段と、
前記記録媒体に記録された前記映像コンテンツデータを、前記仮想プレイリストに基づいて再生するか、前記実体プレイリストのうち、前記再生プロテクト情報が対応付けられていない実体プレイリストに基づいて再生するか、前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部と、
を備えることを特徴とする映像コンテンツ記録再生装置。
【請求項３】
前記実体プレイリストのリスト名及び前記仮想プレイリストのリスト名を表示装置に一覧表示させるためのリスト名一覧情報を生成するリスト名一覧情報生成部を有し、
このリスト名一覧情報生成部は、
前記再生プロテクト情報が対応付けられている実体プレイリストのうち、視聴制限をかけると設定されている前記再生プロテクト情報が対応付けられた前記実体プレイリストのリスト名を除外して前記リスト名一覧情報を生成することを特徴とする請求項１または２に記載の映像コンテンツ記録再生装置。
【請求項４】
入力される、番組又はシーン毎に視聴制限をかけるための情報であるコンテンツ視聴制限情報を有する映像コンテンツデータを、記録および再生する映像コンテンツ記録再生装置において、
前記映像コンテンツデータを記録媒体に記録するコンテンツデータ記録部と、
視聴制限をかけるか否かを判断する基準となる情報である視聴制限基準情報を記憶するとともに、視聴制限をかけるか否かを示す情報であり、前記映像コンテンツデータの前記番組又はシーン毎に対応付けられる情報である制限判断情報を、視聴制限をかけないことを示す情報とするために用いられるユーザ特性情報を前記記録媒体に記録するユーザ設定情報記憶部と、
入力される前記映像コンテンツの前記番組又はシーンの変化により前記コンテンツ視聴制限情報が変更された時点を検出するコンテンツ視聴制限情報変更認識部と、
前記映像コンテンツデータの前記記録媒体への記録開始時に、この記録開始時の前記映像コンテンツデータの前記番組又はシーンが有している前記コンテンツ視聴制限情報と前記視聴制限基準情報とを基に、前記番組又はシーンに対して視聴制限をかけるか否かを判断し、その判断結果を前記制限判断情報に設定し、この制限判断情報を前記番組又はシーンに対応付ける処理を行い、その後、記録中の前記映像コンテンツデータの前記番組又はシーンの変化により前記コンテンツ制限情報が変更された時点を、前記コンテンツ視聴制限情報変更認識部が検出したときは、この変化後の前記番組又はシーンに付加されている前記コンテンツ視聴制限情報と前記視聴制限基準情報とを基に、変化後の前記番組又はシーンに対して視聴制限をかけるか否かを判断し、その判断結果を前記制限判断情報に設定し、この制限判断情報を変化後の前記番組又はシーンに対応付ける処理を前記映像コンテンツデータの記録が終了するまで繰り返し行う視聴制限設定判断部と、
１回の前記記録で前記記録媒体に記録された前記映像コンテンツデータを１つの再生区間とする実体プレイリストを生成するとともに、前記再生区間のなかに、視聴制限をかけると設定された前記制限判断情報が対応付けられた前記番組又はシーンが存在する場合は、前記再生区間全体に対して視聴制限をかけるか否かを示す情報であり、現段階では視聴制限をかけると設定されている再生プロテクト情報を前記実体プレイリストに対応付ける実体プレイリスト生成部と、
前記記録媒体に記録された前記映像コンテンツデータの前記番組又はシーンのうち、前記視聴制限設定判断部において前記視聴制限をかけないと設定された前記制限判断情報が対応付けられている前記番組又はシーンのみを再生区間とする仮想プレイリストを生成する仮想プレイリスト生成部と、
前記実体プレイリストと、前記仮想プレイリストとを前記記録媒体に記録するプレイリストデータ記録部と、
前記制限判断情報及び前記再生プロテクト情報が、視聴制限をかけると設定されている場合に、外部から入力される制限解除情報が、前記記録媒体から読み出した前記ユーザ特性情報と一意に対応付くか否かを判断し、対応付くと判断した場合は、前記制限判断情報及び前記再生プロテクト情報に対する設定を、視聴制限をかけるから視聴制限をかけないへ変更する視聴制限解除手段と、
前記記録媒体に記録された前記映像コンテンツデータを、前記記録媒体から読み出した前記仮想プレイリストに基づいて再生するか、前記記録媒体から読み出した前記実体プレイリストのうち前記再生プロテクト情報が対応付けられていない実体プレイリストに基づいて再生するか、前記記録媒体から読み出した前記実体プレイリストのうち前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部と、
を備えることを特徴とする映像コンテンツ記録再生装置。
【請求項５】
複数の番組又はシーンで構成される映像コンテンツデータを、記録および再生する映像コンテンツ記録再生装置において、
前記映像コンテンツデータを記録媒体に記録するコンテンツデータ記録部と、
視聴制限を解除するために用いられるユーザ特性情報を前記記録媒体に記録するユーザ特性情報記憶部と、
１回の前記記録で前記記録媒体に記録された前記映像コンテンツデータを１つの再生区間とする実体プレイリストを生成するとともに、前記再生区間のなかの番組またはシーンに視聴制限をかけることが外部から指示された場合は、前記再生区間全体に対して視聴制限をかけるか否かを示す情報であり、現段階では視聴制限をかけると設定されている再生プロテクト情報を前記実体プレイリストに対応付ける実体プレイリスト生成部と、
前記記録媒体に記録された前記映像コンテンツデータの前記番組又はシーンのうち、前記視聴制限をかけることが外部から指示された前記番組又はシーン以外を再生区間とする仮想プレイリストを生成する仮想プレイリスト生成部と、
前記実体プレイリストと、前記仮想プレイリストとを前記記録媒体に記録するプレイリストデータ記録部と、
前記再生プロテクト情報が視聴制限をかけると設定されている場合に、外部から入力される制限解除情報が、前記記録媒体から読み出した前記ユーザ特性情報と一意に対応付くか否かを判断し、対応付くと判断した場合は、前記制限判断情報及び前記再生プロテクト情報に対する設定を、視聴制限をかけるから視聴制限をかけないへ変更する視聴制限解除手段と、
前記記録媒体に記録された前記映像コンテンツデータを、前記記録媒体から読み出した前記仮想プレイリストに基づいて再生するか、前記記録媒体から読み出した前記実体プレイリストのうち前記再生プロテクト情報が対応付けられていない実体プレイリストに基づいて再生するか、前記記録媒体から読み出した前記実体プレイリストのうち前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部と、
を備えることを特徴とする映像コンテンツ記録再生装置。
【請求項６】
前記記録媒体から読み出した、前記実体プレイリストのリスト名及び前記仮想プレイリストのリスト名を表示装置に一覧表示させるためのリスト名一覧情報を生成するリスト名一覧情報生成部を有し、
このリスト名一覧情報生成部は、
前記再生プロテクト情報が対応付けられている実体プレイリストのうち、視聴制限をかけると設定されている前記再生プロテクト情報が対応付けられた前記実体プレイリストのリスト名を除外して前記リスト名一覧情報を生成することを特徴とする請求項４または５に記載の映像コンテンツ記録再生装置。
【発明の詳細な説明】
【技術分野】
【０００１】
本発明は、映像コンテンツ記録再生装置に関し、特に視聴制限機能のある映像コンテンツを記録および再生する映像コンテンツ記録再生装置に関する。
【背景技術】
【０００２】
従来、ＤＶＤ−Ｖｉｄｅｏなどのパッケージメディアの映像コンテンツやデジタル放送による映像コンテンツには、暴力シーン等の子供に見せることが好ましくないシーンの視聴を制限するため、パレンタル情報と呼ばれる視聴制限情報を含むものがある。
【０００３】
このパレンタル情報を含む映像コンテンツを視聴する際は、パレンタル情報による再生制限を行う機能を搭載するコンテンツ再生装置で視聴することにより、視聴制限を行うことができる。
【０００４】
パレンタル情報による再生制限を行う機能を搭載するコンテンツ再生装置では、映像コンテンツに含まれるパレンタル情報およびコンテンツ再生装置に設定されたパレンタル制御情報を基に映像コンテンツ内の再生禁止領域を抽出し、自動的に跳ばして再生したり視聴を禁止したりする等の視聴制限を行う。
【０００５】
これらのパレンタル情報を含む映像コンテンツを映像コンテンツ記録再生装置に記録した場合にも視聴制限機能を実現することが可能な技術が、特許文献１および特許文献２に記載されている。
【０００６】
特許文献１には、映像コンテンツが記録された記録媒体固有の識別番号に関連付けられた視聴制限情報をユーザが映像コンテンツ記録再生装置に設定することにより、記録媒体に記録された映像コンテンツの視聴制限を行う技術が記載されている。
【０００７】
また、特許文献１には、第三者に対してコンテンツ再生装置に記録された視聴制限のある映像コンテンツのタイトルの存在を隠すため、視聴制限がかかっている映像コンテンツのタイトルはこの視聴制限を解除する暗証番号が入力されなければ再生メニュー表示の対象からはずす技術が記載されている。
【０００８】
特許文献２には、映像コンテンツが格納された記録媒体に暗証番号照合プログラムを記録し、記録媒体自体にこの映像コンテンツの再生を制限するための暗証番号を記録することにより視聴制限を行う技術が記載されている。
【特許文献１】特開２００１−３５７６１１号公報
【特許文献２】特開２００３−１３２６２４号公報
【発明の開示】
【発明が解決しようとする課題】
【０００９】
しかし、上記の特許文献１に記載の技術は、視聴制限を解除する暗証番号が入力されていない状態においては視聴制限されているシーンのある映像コンテンツのタイトルを再生メニュー表示からはずすため、暗証番号を知らないユーザはタイトルの存在自体が分からず、この映像コンテンツの視聴制限されていないシーンのみを再生することもできないという問題があった。
【００１０】
また、ユーザが視聴制限情報を設定したコンテンツ再生装置以外の装置では、この視聴制限情報が有効にならないという問題があった。
【００１１】
また、特許文献２に記載の技術は、映像コンテンツ単位で視聴制限を行うため、シーンごとに視聴制限の要否を判断することができないという問題があった。
【００１２】
よって本発明の目的は、映像コンテンツのシーンごとに設定された視聴制限に対応することができ、視聴制限を解除する権限をもたないユーザでも、記録された映像コンテンツの視聴制限されていないシーンを再生することができる映像コンテンツ記録再生装置を提供することである。
【００１３】
また、映像コンテンツデータを記録した映像コンテンツ記録再生装置とは異なる他の映像コンテンツ記録再生装置で再生させる際にも、パレンタル制御機能を利用することができ、同様に視聴制限を解除する権限をもたないユーザが記録された映像コンテンツの視聴制限されていないシーンを再生することが可能になるように映像コンテンツデータを記録媒体に記録する映像コンテンツ記録再生装置を提供することである。
【課題を解決するための手段】
【００１４】
上記目的を達成するための本発明の請求項１に記載の映像コンテンツ記録再生装置（１）は、入力される、番組又はシーン毎に視聴制限をかけるための情報であるコンテンツ視聴制限情報を有する映像コンテンツデータを、記録および再生するものであり、前記映像コンテンツデータを記録媒体に記録するコンテンツデータ記録部（４０）と、視聴制限をかけるか否かを示す情報であり、前記映像コンテンツデータの前記番組又はシーン毎に対応付けられる情報である制限判断情報を、視聴制限をかけないことを示す情報とするために用いられるユーザ特性情報と、視聴制限をかけるか否かを判断する基準となる情報である視聴制限基準情報とからなるユーザ設定情報を記憶するユーザ設定情報記憶部（１１）と、入力される前記映像コンテンツの前記番組又はシーンの変化により前記コンテンツ視聴制限情報が変更された時点を検出するコンテンツ視聴制限情報変更認識部（３３）と、前記映像コンテンツデータの前記記録媒体への記録開始時に、この記録開始時の前記映像コンテンツデータの前記番組又はシーンが有している前記コンテンツ視聴制限情報と前記視聴制限基準情報とを基に、前記番組又はシーンに対して視聴制限をかけるか否かを判断し、その判断結果を前記制限判断情報に設定し、この制限判断情報を前記番組又はシーンに対応付ける処理を行い、その後、記録中の前記映像コンテンツデータの前記番組又はシーンの変化により前記コンテンツ制限情報が変更された時点を、前記コンテンツ視聴制限情報変更認識部（３３）が検出したときは、この変化後の前記番組又はシーンに付加されている前記コンテンツ視聴制限情報と前記視聴制限基準情報とを基に、変化後の前記番組又はシーンに対して視聴制限をかけるか否かを判断し、その判断結果を前記制限判断情報に設定し、この制限判断情報を変化後の前記番組又はシーンに対応付ける処理を前記映像コンテンツデータの記録が終了するまで繰り返し行う視聴制限設定判断部（３１）と、１回の前記記録で前記記録媒体に記録された前記映像コンテンツデータを１つの再生区間とする実体プレイリストを生成するとともに、前記再生区間のなかに、視聴制限をかけると設定された前記制限判断情報が対応付けられた前記番組又はシーンが存在する場合は、前記再生区間全体に対して視聴制限をかけるか否かを示す情報であり、現段階では視聴制限をかけると設定されている再生プロテクト情報を前記実体プレイリストに対応付ける実体プレイリスト生成部（３６）と、前記記録媒体に記録された前記映像コンテンツデータの前記番組又はシーンのうち、前記視聴制限設定判断部（３１）において前記視聴制限をかけないと設定された前記制限判断情報が対応付けられている前記番組又はシーンのみを再生区間とする仮想プレイリストを生成する仮想プレイリスト生成部（３５）と、前記実体プレイリストと、前記仮想プレイリストとを記録するプレイリストデータ記録部（４０）と、前記制限判断情報及び前記再生プロテクト情報が、視聴制限をかけると設定されている場合に、外部から入力される制限解除情報が、予め記憶してある前記ユーザ特性情報と一意に対応付くか否かを判断し、対応付くと判断した場合は、前記制限判断情報及び前記再生プロテクト情報に対する設定を、視聴制限をかけるから視聴制限をかけないへ変更する視聴制限解除手段と、前記記録媒体に記録された前記映像コンテンツデータを、前記仮想プレイリストに基づいて再生するか、前記実体プレイリストのうち、前記再生プロテクト情報が対応付けられていない実体プレイリストに基づいて再生するか、前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部（５０）とを備えることを特徴とする。
【００１５】
また、請求項２に記載の映像コンテンツ記録再生装置（２）は、複数の番組又はシーンで構成される映像コンテンツデータを、記録および再生するものであり、前記映像コンテンツデータを記録媒体に記録するコンテンツデータ記録部（４０）と、視聴制限を解除するために用いられるユーザ特性情報を記憶するユーザ特性情報記憶部（１４）と、１回の前記記録で前記記録媒体に記録された前記映像コンテンツデータを１つの再生区間とする実体プレイリストを生成するとともに、前記再生区間のなかの番組またはシーンに視聴制限をかけることが外部から指示された場合は、前記再生区間全体に対して視聴制限をかけるか否かを示す情報であり、現段階では視聴制限をかけると設定されている再生プロテクト情報を前記実体プレイリストに対応付ける実体プレイリスト生成部（３６）と、前記記録媒体に記録された前記映像コンテンツデータの前記番組又はシーンのうち、前記視聴制限をかけることが外部から指示された前記番組又はシーン以外を再生区間とする仮想プレイリストを生成する仮想プレイリスト生成部（３５）と、前記実体プレイリストと、前記仮想プレイリストとを記録するプレイリストデータ記録部（４０）と、前記再生プロテクト情報が視聴制限をかけると設定されている場合に、外部から入力される制限解除情報が、予め記憶してある前記ユーザ特性情報と一意に対応付くか否かを判断し、対応付くと判断した場合は、前記再生プロテクト情報に対する設定を、視聴制限をかけるから視聴制限をかけないへ変更する視聴制限解除手段と、前記記録媒体に記録された前記映像コンテンツデータを、前記仮想プレイリストに基づいて再生するか、前記実体プレイリストのうち、前記再生プロテクト情報が対応付けられていない実体プレイリストに基づいて再生するか、前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部（５０）とを備えることを特徴とする。
【００１６】
また、請求項３は請求項１または２に記載の映像コンテンツ記録再生装置（１）（２）であり、前記実体プレイリストのリスト名及び前記仮想プレイリストのリスト名を表示装置（２００）に一覧表示させるためのリスト名一覧情報を生成するリスト名一覧情報生成部（３７）を有し、このリスト名一覧情報生成部（３７）は、前記再生プロテクト情報が対応付けられている実体プレイリストのうち、視聴制限をかけると設定されている前記再生プロテクト情報が対応付けられた前記実体プレイリストのリスト名を除外して前記リスト名一覧情報を生成することを特徴とする。
【００１７】
また、請求項４に記載の映像コンテンツ記録再生装置（３）は、入力される、番組又はシーン毎に視聴制限をかけるための情報であるコンテンツ視聴制限情報を有する映像コンテンツデータを、記録および再生するものであり、前記映像コンテンツデータを記録媒体に記録するコンテンツデータ記録部（４０）と、視聴制限をかけるか否かを判断する基準となる情報である視聴制限基準情報を記憶するとともに、視聴制限をかけるか否かを示す情報であり、前記映像コンテンツデータの前記番組又はシーン毎に対応付けられる情報である制限判断情報を、視聴制限をかけないことを示す情報とするために用いられるユーザ特性情報を前記記録媒体に記録するユーザ設定情報記憶部（１１）と、入力される前記映像コンテンツの前記番組又はシーンの変化により前記コンテンツ視聴制限情報が変更された時点を検出するコンテンツ視聴制限情報変更認識部（３３）と、前記映像コンテンツデータの前記記録媒体への記録開始時に、この記録開始時の前記映像コンテンツデータの前記番組又はシーンが有している前記コンテンツ視聴制限情報と前記視聴制限基準情報とを基に、前記番組又はシーンに対して視聴制限をかけるか否かを判断し、その判断結果を前記制限判断情報に設定し、この制限判断情報を前記番組又はシーンに対応付ける処理を行い、その後、記録中の前記映像コンテンツデータの前記番組又はシーンの変化により前記コンテンツ制限情報が変更された時点を、前記コンテンツ視聴制限情報変更認識部（３３）が検出したときは、この変化後の前記番組又はシーンに付加されている前記コンテンツ視聴制限情報と前記視聴制限基準情報とを基に、変化後の前記番組又はシーンに対して視聴制限をかけるか否かを判断し、その判断結果を前記制限判断情報に設定し、この制限判断情報を変化後の前記番組又はシーンに対応付ける処理を前記映像コンテンツデータの記録が終了するまで繰り返し行う視聴制限設定判断部（３１）と、１回の前記記録で前記記録媒体に記録された前記映像コンテンツデータを１つの再生区間とする実体プレイリストを生成するとともに、前記再生区間のなかに、視聴制限をかけると設定された前記制限判断情報が対応付けられた前記番組又はシーンが存在する場合は、前記再生区間全体に対して視聴制限をかけるか否かを示す情報であり、現段階では視聴制限をかけると設定されている再生プロテクト情報を前記実体プレイリストに対応付ける実体プレイリスト生成部（３６）と、前記記録媒体に記録された前記映像コンテンツデータの前記番組又はシーンのうち、前記視聴制限設定判断部（３１）において前記視聴制限をかけないと設定された前記制限判断情報が対応付けられている前記番組又はシーンのみを再生区間とする仮想プレイリストを生成する仮想プレイリスト生成部（３５）と、前記実体プレイリストと、前記仮想プレイリストとを前記記録媒体に記録するプレイリストデータ記録部（４０）と、前記制限判断情報及び前記再生プロテクト情報が、視聴制限をかけると設定されている場合に、外部から入力される制限解除情報が、前記記録媒体から読み出した前記ユーザ特性情報と一意に対応付くか否かを判断し、対応付くと判断した場合は、前記制限判断情報及び前記再生プロテクト情報に対する設定を、視聴制限をかけるから視聴制限をかけないへ変更する視聴制限解除手段と、前記記録媒体に記録された前記映像コンテンツデータを、前記記録媒体から読み出した前記仮想プレイリストに基づいて再生するか、前記記録媒体から読み出した前記実体プレイリストのうち前記再生プロテクト情報が対応付けられていない実体プレイリストに基づいて再生するか、前記記録媒体から読み出した前記実体プレイリストのうち前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部（５０）とを備えることを特徴とする。
【００１８】
また、請求項５に記載の映像コンテンツ記録再生装置（４）は、複数の番組又はシーンで構成される映像コンテンツデータを、記録および再生するものであり、前記映像コンテンツデータを記録媒体に記録するコンテンツデータ記録部（４０）と、視聴制限を解除するために用いられるユーザ特性情報を前記記録媒体に記録するユーザ特性情報記憶部（１４）と、１回の前記記録で前記記録媒体に記録された前記映像コンテンツデータを１つの再生区間とする実体プレイリストを生成するとともに、前記再生区間のなかの番組またはシーンに視聴制限をかけることが外部から指示された場合は、前記再生区間全体に対して視聴制限をかけるか否かを示す情報であり、現段階では視聴制限をかけると設定されている再生プロテクト情報を前記実体プレイリストに対応付ける実体プレイリスト生成部（３６）と、前記記録媒体に記録された前記映像コンテンツデータの前記番組又はシーンのうち、前記視聴制限をかけることが外部から指示された前記番組又はシーン以外を再生区間とする仮想プレイリストを生成する仮想プレイリスト生成部（３５）と、前記実体プレイリストと、前記仮想プレイリストとを前記記録媒体に記録するプレイリストデータ記録部（４０）と、前記再生プロテクト情報が視聴制限をかけると設定されている場合に、外部から入力される制限解除情報が、前記記録媒体から読み出した前記ユーザ特性情報と一意に対応付くか否かを判断し、対応付くと判断した場合は、前記制限判断情報及び前記再生プロテクト情報に対する設定を、視聴制限をかけるから視聴制限をかけないへ変更する視聴制限解除手段と、前記記録媒体に記録された前記映像コンテンツデータを、前記記録媒体から読み出した前記仮想プレイリストに基づいて再生するか、前記記録媒体から読み出した前記実体プレイリストのうち前記再生プロテクト情報が対応付けられていない実体プレイリストに基づいて再生するか、前記記録媒体から読み出した前記実体プレイリストのうち前記視聴制限解除手段によって視聴制限をかけるから視聴制限をかけないへ設定が変更された前記再生プロテクト情報が対応付けられた前記実体プレイリストに基づいて再生するかのうち、少なくともいずれか１つの再生を行う再生部（５０）とを備えることを特徴とする。
【００１９】
また、請求項６は請求項４または５に記載の映像コンテンツ記録再生装置（３）（４）であり、前記記録媒体から読み出した、前記実体プレイリストのリスト名及び前記仮想プレイリストのリスト名を表示装置（２００）に一覧表示させるためのリスト名一覧情報を生成するリスト名一覧情報生成部（３７）を有し、このリスト名一覧情報生成部（３７）は、前記再生プロテクト情報が対応付けられている実体プレイリストのうち、視聴制限をかけると設定されている前記再生プロテクト情報が対応付けられた前記実体プレイリストのリスト名を除外して前記リスト名一覧情報を生成することを特徴とする。
【発明の効果】
【００２０】
本発明の映像コンテンツ記録再生装置によれば、映像コンテンツの番組又はシーンごとに設定された視聴制限に対応してプレイリストを作成することができ、視聴制限を解除する権限をもたないユーザでも、視聴制限されたシーンを含む映像コンテンツの視聴制限されていない番組又はシーンのみは再生することができる。
【００２１】
また、本発明の映像コンテンツ記録再生装置によれば、映像コンテンツデータを番組又はシーンごとに設定された視聴制限に対応したプレイリストとともに取外し可能な記録媒体に記録することにより、映像コンテンツデータを記録した映像コンテンツ記録再生装置とは異なる他の映像コンテンツ記録再生装置で再生させる際にもパレンタル制御機能を利用することができ、視聴制限を解除する権限をもたないユーザが記録された映像コンテンツの視聴制限されていない番組又はシーンを再生することが可能になる。
【発明を実施するための最良の形態】
【００２２】
《第１実施形態》
本発明の第１実施形態においては、視聴制限を行うために予め番組又はシーン毎に設定されたコンテンツ視聴制限情報を有する映像コンテンツデータを放送局から受信し、内蔵するハードディスク（ＨＤＤ）に格納するとともに外部の表示装置に表示させる映像コンテンツ記録再生装置について説明する。
【００２３】
〈第１実施形態による映像コンテンツ記録再生装置の構成〉
本実施形態による映像コンテンツ記録再生装置の構成を、図１〜図４を参照して説明する。
【００２４】
本実施形態による映像コンテンツ記録再生装置１は、記憶部１０と、放送受信部２０と、制御部３０と、データ記録部としてのハードディスク４０と、再生部としての表示制御部５０と、ユーザ入力部６０とを有する。
【００２５】
記憶部１０は、ユーザ設定情報記憶部１１と、仮想プレイリスト情報記憶部１２と、フラグ情報記憶部１３とを有する。
【００２６】
ユーザ設定情報記憶部１１は、ユーザにより設定される視聴制限基準情報としてのユーザ視聴制限年齢と、ユーザを識別するためのユーザ特性情報としての暗証番号とからなるユーザ設定情報を記憶する。本実施形態においては、この暗証番号により、ユーザ視聴制限年齢に基づいて映像コンテンツデータに設定された視聴制限を解除する権限をもつユーザを識別する。
【００２７】
ユーザ設定情報の一例を図２に示す。
【００２８】
図２のユーザ設定情報においては、このユーザ設定情報による視聴制限機能が有効であることを示す「ON」に設定され、ユーザ視聴制限年齢が「１５」歳に設定され、暗証番号が「１２３４」に設定されている。
【００２９】
仮想プレイリスト情報記憶部１２は、後述する仮想プレイリスト情報設定部３４から取得する仮想プレイリスト情報を記憶し、仮想プレイリスト生成部３５に送出する。
【００３０】
フラグ情報記憶部１３は、後述するフラグ設定部３２から取得するフラグ情報を記憶し、仮想プレイリスト生成部３５および実体プレイリスト生成部３６に送出する。
【００３１】
放送受信部２０は、視聴制限を行うためのコンテンツ視聴制限情報としてのコンテンツ視聴制限年齢が番組又はシーン毎に付加された映像コンテンツデータを放送局１００から受信して入力し、制御部３０に送出するとともにハードディスク４０に記録するために送出する。
【００３２】
制御部３０は、視聴制限設定判断部３１と、フラグ設定部３２と、コンテンツ視聴制限情報変更認識部３３と、仮想プレイリスト情報設定部３４と、仮想プレイリスト生成部３５と、実体プレイリスト生成部３６と、リスト名一覧情報生成部としてのプレイリスト名リスト生成部３７とを有する。
【００３３】
視聴制限設定判断部３１は、放送受信部２０において映像コンテンツデータの受信が開始されたときにユーザ設定情報記憶部１１に記憶されているユーザ視聴制限年齢と受信中の映像コンテンツデータに付加されているコンテンツ視聴制限年齢とを比較して、コンテンツ視聴制限年齢がユーザ視聴制限年齢よりも高いときには視聴制限を設定すると判断し、また、受信中の映像コンテンツデータに付加されているコンテンツ視聴制限年齢が変更されことが後述するコンテンツ視聴制限情報変更認識部で認識されたときに、ユーザ設定情報記憶部に記憶されているユーザ視聴制限年齢と受信中の映像コンテンツデータに付加されているコンテンツ視聴制限年齢とを比較して、視聴制限の設定を変更するか否かを再度判断し、その判断結果を制限判断情報として仮想プレイリスト情報設定部３４およびフラグ設定部３２に送出する。
【００３４】
フラグ設定部３２は、視聴制限設定判断部３１から取得した制限判断情報に基づいて、後述する仮想プレイリスト情報が生成されたか否かを示す仮想プレイリスト情報作成済フラグ、および、受信されハードディスク４０に記録された映像コンテンツに視聴制限が設定されているシーンを含むか否かを示す視聴制限コンテンツ記録済フラグを設定してフラグ情報記憶部１３に送出する。
【００３５】
仮想プレイリスト情報作成済フラグは、仮想プレイリスト情報が未作成であれば「０」、作成済みであれば「１」が設定され、視聴制限コンテンツ記録済フラグは、視聴制限を含む映像コンテンツが未記録であれば「０」、記録済みであれば「１」が設定される。
【００３６】
図３は、映像コンテンツの記録を開始する前の初期状態の各フラグ値を示す表であり、仮想プレイリスト情報作成済フラグが「０」に設定され仮想プレイリスト情報が未作成であることが示され、視聴制限コンテンツ記録済フラグも「０」に設定され、視聴制限コンテンツが未記録であることが示されている。
【００３７】
コンテンツ視聴制限情報変更認識部３３は、放送受信部２０で受信中の映像コンテンツデータに付加されているコンテンツ視聴制限年齢に関する情報を監視し、シーンが変わったことによりコンテンツ視聴制限年齢に関する情報が変更したときを認識する。
【００３８】
仮想プレイリスト情報設定部３４は、視聴制限設定判断部３１から取得した制限判断情報に基づいて設定される仮想プレイリストにおける再生部分の再生開始位置および再生終了位置である仮想プレイリスト情報を設定して仮想プレイリスト情報記憶部１２に送出する。
【００３９】
設定された仮想プレイリスト情報の一例を図４に示す。
【００４０】
図４において、記録された映像コンテンツデータの視聴制限がされていない複数のデータ部分のうち、第１の部分である第１再生部分の再生開始位置が「IN１」で表される位置であり、第１再生部分の再生終了位置が「OUT１」で表される位置であり、第２の部分である第２再生部分の再生開始位置が「IN２」で表される位置であり、第２再生部分の再生終了位置が「OUT２」で表される位置であることが示されている。この再生部分は、同一の映像コンテンツデータに対し複数設定可能であるものとする。
【００４１】
仮想プレイリスト生成部３５は、仮想プレイリスト情報記憶部１２に記憶された仮想プレイリスト情報およびフラグ情報記憶部１３に記憶されたフラグ情報を取得し、これらの情報に基づいて視聴制限設定判断部３１において視聴制限を設定しないと判断された番組又はシーンが再生区間となるプレイリストである仮想プレイリストを生成する。
【００４２】
実体プレイリスト生成部３６は、フラグ情報記憶部１３からフラグ情報を取得し、視聴制限コンテンツ記録済フラグが「１」に設定されている場合は、映像コンテンツデータの全体を再生区間としてユーザ設定情報記憶部１１に記憶された暗証番号で解除可能な再生プロテクトを設定したプレイリストである実体プレイリストを生成する。視聴制限コンテンツ記録済フラグが「０」に設定されている場合は、映像コンテンツデータの全体を再生区間とし、再生プロテクトを設定しないプレイリストである実体プレイリストを生成する。
【００４３】
プレイリスト名リスト生成部３７は、ハードディスク４０に記録された映像コンテンツデータのプレイリストのプレイリスト名を一覧表示させるためのプレイリスト名リストを生成する。このプレイリスト名リストには、仮想プレイリストに対応するプレイリスト名および再生プロテクトを設定しない実体プレイリストに対応するプレイリスト名は常に表示され、再生プロテクトを設定した実体プレイリストに対応するプレイリスト名はユーザ特性情報により視聴制限が解除されたときにのみ表示されるように生成する。なお視聴制限を解除するか否かは、例えば、再生プロテクトが有する変数（フラグ）に対してフラグを立てる（１にする）か、立てない（０にする）かの設定を行うことで実現する。そして、プレイリスト名リスト生成時にこのフラグを確認することで、実体プレイリストに対応するプレイリスト名の表示の可否を判断する。
【００４４】
ハードディスク４０は、受信した映像コンテンツデータと、実体プレイリスト生成部３６で生成された実体プレイリストと、仮想プレイリスト生成部３５で生成された仮想プレイリストとを記録する。
【００４５】
表示制御部５０は、ハードディスク４０に記録された映像コンテンツデータを、ハードディスク４０に記録された実体プレイリストまたは仮想プレイリストに基づいて外部の表示装置２００に表示させるための制御を行う。
【００４６】
また、プレイリスト名リスト生成部３７で生成されるプレイリスト名リストを、外部の表示装置２００に表示するための制御を行う。
【００４７】
ユーザ入力部６０は、ユーザにより操作されるリモコンなどである。
【００４８】
〈第１実施形態による映像コンテンツ記録再生装置の動作〉
本実施形態による映像コンテンツ記録再生装置１の動作について説明する。
【００４９】
まず、本実施形態による映像コンテンツ記録再生装置１において映像コンテンツデータを受信する際の処理について、図２、図５〜７を参照して説明する。
【００５０】
映像コンテンツ記録再生装置１で映像コンテンツデータを受信する際には、ユーザ設定情報記憶部１１には予めユーザにより設定される視聴制限基準情報としてのユーザ視聴制限年齢と、このユーザ視聴制限年齢に基づいて映像コンテンツデータに設定された視聴制限を解除するためのユーザ特性情報としての暗証番号とからなるユーザ設定情報が記憶されているものとする。
【００５１】
本実施形態においては、図２に示すように、このユーザ設定情報による視聴制限機能が有効であることを示す「ON」に設定され、ユーザ視聴制限年齢が「１５」歳に設定され、暗証番号が「１２３４」に設定されている。
【００５２】
また、フラグ情報記憶部１３に記憶されている仮想プレイリスト情報作成済フラグおよび視聴制限コンテンツ記録済フラグはデフォルト値である「０」に設定されている。
【００５３】
上述した状態で、図５のフローチャートに基づいて図６（ａ）に示す映像コンテンツデータＡを映像コンテンツ記録再生装置１で受信する際の処理について説明する。
【００５４】
図６（ａ）の映像コンテンツデータＡは、データ位置６１から６２、およびデータ位置６３から６４のシーンのデータはコンテンツ視聴制限年齢が設定されてなく、データ位置６２から６３のシーンのデータはコンテンツ視聴制限年齢が「１８」歳に設定されている。
【００５５】
まず、放送受信部２０において放送局から図６（ａ）の映像コンテンツデータＡの受信がデータ位置６１から開始されると（Ｓ１）、受信された映像コンテンツデータＡがハードディスク４０に記録するために送出されるとともに制御部３０の視聴制限設定判断部３１に送出される。
【００５６】
視聴制限設定判断部３１において、受信された映像コンテンツデータＡが取得されると、ユーザ設定情報記憶部１１に記憶されているユーザ視聴制限年齢と受信中の映像コンテンツデータＡに付加されているコンテンツ視聴制限年齢とが比較され、視聴制限が設定されるか否かが判断される（Ｓ２）。
【００５７】
データ位置６１ではコンテンツ視聴制限年齢が設定されていないため、視聴制限は設定されないと判断される（Ｓ２の「NO」）。
【００５８】
視聴制限設定判断部３１において視聴制限が設定されないと判断されると、フラグ情報記憶部１３に記憶されている仮想プレイリスト情報作成済フラグが「０」であるか否かがフラグ設定部３２で判断され（Ｓ３）、「０」であれば「１」に変更されフラグ情報記憶部１３に記憶される。
【００５９】
ここでは、フラグ情報記憶部１３に記憶されている仮想プレイリスト情報作成済フラグはデフォルト値である「０」に設定されているため（Ｓ３の「YES」）、フラグ設定部３２により「１」に変更されフラグ情報記憶部１３に記憶される（Ｓ４）。
【００６０】
ステップＳ４でフラグ設定部３２により仮想プレイリスト情報作成済フラグが「１」に変更されたとき、またはステップＳ３で仮想プレイリスト情報作成済フラグが既に「１」であると判断されたとき（Ｓ３の「NO」）は、データ位置６１が仮想プレイリスト情報における第１再生部分の開始位置であるIN１として仮想プレイリスト情報設定部３４で設定され、仮想プレイリスト情報記憶部１２に記録される（Ｓ５）。
【００６１】
一方、コンテンツ視聴制限情報変更認識部３３において、受信中の映像コンテンツデータＡのコンテンツ視聴制限情報が変更したか否かが映像コンテンツデータＡの受信が終了するまで監視されており、第１再生部分の開始位置が仮想プレイリスト情報記憶部１２に記録された後、コンテンツ視聴制限情報が変更したか否かが判断される（Ｓ６）。
【００６２】
データ位置６１から６２の間はコンテンツ視聴制限情報は変更されていないため（Ｓ６の「NO」）ステップＳ７に移り、映像コンテンツデータＡの受信が終了したか否かが判断される（Ｓ７）。
【００６３】
ここでは、映像コンテンツデータＡの受信は終了していない（Ｓ７の「NO」）ためステップＳ６に戻り、コンテンツ視聴制限情報が変更したか否かの監視が続けられる。
【００６４】
受信中の映像コンテンツデータＡの位置がデータ位置６２に到達しコンテンツ視聴制限情報が変更されると（Ｓ６の「YES」）ステップＳ２に戻り、視聴制限設定判断部３１においてユーザ設定情報記憶部１１に記憶されているユーザ視聴制限年齢と受信中の映像コンテンツデータＡに付加されている変更後のコンテンツ視聴制限年齢とが比較され、再度視聴制限が設定されるか否かが判断される（Ｓ２）。
【００６５】
データ位置６２はコンテンツ視聴制限年齢が「１８」歳に設定されており、このコンテンツ視聴制限年齢がユーザ視聴制限年齢である「１５」歳よりも高いため、視聴制限が設定されると判断される（Ｓ２の「YES」）。
【００６６】
視聴制限設定判断部３１において視聴制限が設定されると判断されると、フラグ情報記憶部１３に記憶されている視聴制限コンテンツ記録済フラグが「０」であるか否かがフラグ設定部３２で判断され（Ｓ８）、「０」であれば「１」に変更されフラグ情報記憶部１３に記憶される。
【００６７】
ここでは、フラグ情報記憶部１３に記憶されている視聴制限コンテンツ記録済フラグはデフォルト値である「０」に設定されているため（Ｓ８の「YES」）、フラグ設定部３２により「１」に変更される（Ｓ９）。
【００６８】
ステップＳ９でフラグ設定部３２により視聴制限コンテンツ記録済フラグが「１」に変更されたとき、またはステップＳ８でフラグ情報記憶部１３に記憶されている視聴制限コンテンツ記録済フラグが既に「１」であると判断されたとき（Ｓ８の「NO」）は、フラグ情報記憶部１３に記憶されている仮想プレイリスト情報作成済フラグが「１」であるか否かが判断される（Ｓ１０）。
【００６９】
ここでは、ステップＳ１０でフラグ情報記憶部１３に記憶されている仮想プレイリスト情報作成済フラグが「１」であると判断され（Ｓ１０の「YES」）、データ位置６２が仮想プレイリスト情報における第１再生部分の終了位置であるOUT１として仮想プレイリスト情報設定部３４で設定され、仮想プレイリスト情報記憶部１２に記録される（Ｓ１１）。
【００７０】
第１再生部分の終了位置が仮想プレイリスト情報記憶部１２に記録されると、コンテンツ視聴制限情報変更認識部３３において受信中の映像コンテンツデータＡのコンテンツ視聴制限情報が変更したか否かが判断される（Ｓ６）。
【００７１】
データ位置６２から６３の間はコンテンツ視聴制限情報は変更されていないため（Ｓ６の「NO」）ステップＳ７に移りステップＳ７に移り、映像コンテンツデータＡの受信が終了したか否かが判断される（Ｓ７）。
【００７２】
ここでは、映像コンテンツデータＡの受信は終了していない（Ｓ７の「NO」）ためステップＳ６に戻り、コンテンツ視聴制限情報が変更したか否かの監視が続けられる。
【００７３】
受信中の映像コンテンツデータＡの位置がデータ位置６３に到達しコンテンツ視聴制限情報が変更されると（Ｓ６の「YES」）ステップＳ２に戻り、視聴制限設定判断部３１においてユーザ設定情報記憶部１１に記憶されているユーザ視聴制限年齢と受信中の映像コンテンツデータＡに付加されている変更後のコンテンツ視聴制限年齢とが比較され、再度視聴制限が設定されるか否かが判断される（Ｓ２）。
【００７４】
データ位置６３ではコンテンツ視聴制限年齢が設定されていないため、視聴制限は設定されないと判断される（Ｓ２の「NO」）。
【００７５】
視聴制限設定判断部３１において視聴制限が設定されないと判断されると、仮想プレイリスト情報作成済フラグが「０」であるか否かがフラグ設定部３２で判断されるが（Ｓ３）、ここでは既に「１」に設定されているためステップＳ５に移る（Ｓ３の「NO」）。
【００７６】
ステップＳ５において、データ位置６３が仮想プレイリスト情報における第２再生部分の開始位置であるIN２として仮想プレイリスト情報設定部３４で設定され、仮想プレイリスト情報記憶部１２に記録される（Ｓ５）。
【００７７】
第２再生部分の開始位置が仮想プレイリスト情報記憶部１２に記録されると、コンテンツ視聴制限情報変更認識部３３において受信中の映像コンテンツデータＡのコンテンツ視聴制限情報が変更したか否かが判断される（Ｓ６）。
【００７８】
データ位置６３から６４の間はコンテンツ視聴制限情報は変更されていないため（Ｓ６の「NO」）ステップＳ７に移り、映像コンテンツデータＡの受信が終了したか否かが判断される（Ｓ７）。
【００７９】
ここでは、映像コンテンツデータＡの受信は終了していない（Ｓ７の「NO」）ためステップＳ６に戻り、コンテンツ視聴制限情報が変更したか否かの監視が続けられる。
【００８０】
受信中の映像コンテンツデータＡの位置がデータ位置６４に到達すると、ステップＳ６においてコンテンツ視聴制限情報が変更されていないと判断され（Ｓ６の「NO」）、且つ、ステップＳ７において映像コンテンツデータの受信が終了したと判断され（Ｓ７の「YES」）、映像コンテンツデータＡの受信時の処理が終了する。
【００８１】
次に、映像コンテンツ記録再生装置１において受信した映像コンテンツデータＡのプレイリストを生成および記録する際の処理について、図７を参照して説明する。
【００８２】
まず、映像コンテンツデータの記録が終了した時点で、実体プレイリスト生成部３６において映像コンテンツデータＡの全体を再生区間とする実体プレイリストが作成される（Ｓ２１）。
【００８３】
次に実体プレイリスト生成部３６において、フラグ情報記憶部１３から視聴制限コンテンツ記録済フラグの情報が取得され、視聴制限コンテンツ記録済フラグが「１」であるか否かが判断される（Ｓ２２）。
【００８４】
ここでは、図５のステップＳ９においてフラグ情報記憶部１３に記憶されている視聴制限コンテンツ記録済フラグが「１」に設定されている（Ｓ２２の「YES」）ため、ステップＳ２３に移り、ステップＳ２１で生成された実体プレイリストにユーザ設定情報記憶部１１に記憶された暗証番号で解除可能な再生プロテクトが設定される（Ｓ２３）。
【００８５】
再生プロテクトが設定された実体プレイリストは、ハードディスク４０に記録される（
Ｓ２４）。
【００８６】
次に、仮想プレイリスト生成部３５において、フラグ情報記憶部１３から仮想プレイリスト情報作成済フラグの情報が取得され、仮想プレイリスト情報作成済フラグが「１」であるか否かが判断される（Ｓ２５）。
【００８７】
ここでは、図５のステップＳ４においてフラグ情報記憶部１３に記憶されている仮想プレイリスト情報作成済みフラグが「１」に設定されている（Ｓ２５の「YES」）ため、ステップＳ２６に移り、仮想プレイリスト情報記憶部１２に記憶されている仮想プレイリスト情報の中で再生開始位置に対応する再生終了位置が未設定の再生部分があるか否かが仮想プレイリスト生成部３５で判断される（Ｓ２６）。
【００８８】
ここでは、第２再生部分の開始位置であるIN２に対応する終了位置が設定されていないため（Ｓ２６の「YES」）ステップＳ２７に移り、受信終了位置であるデータ位置６４が第２再生部分の終了位置であるOUT２として仮想プレイリスト生成部３５により設定される（Ｓ２７）。
【００８９】
ステップＳ２７で未設定であった終了位置が設定されとき、またはステップＳ２５で未設定の終了位置がないと判断されたとき（Ｓ２６の「NO」）は、仮想プレイリスト生成部３５において仮想プレイリスト情報に基づいた仮想プレイリストが生成される（Ｓ２８）。
【００９０】
ここでは、図６（ｂ）に示すように、第１再生部分であるデータ位置６１〜６２と、第２再生部分であるデータ位置６３〜６４とを再生部分とする仮想プレイリストが生成される。
【００９１】
生成された仮想プレイリストは、ハードディスク４０に記録される（Ｓ２９）。
【００９２】
またステップＳ２２において視聴制限コンテンツ記録済フラグが「０」に設定されていると判断された場合は、ステップＳ２１で生成された実体プレイリストに再生プロテクトは設定されずにハードディスク４０に記録される（Ｓ３０）。
【００９３】
以上で映像コンテンツデータＡのプレイリストを生成および記録する際の処理が終了する。
【００９４】
次に、映像コンテンツ記録再生装置１において記録された映像コンテンツデータを実体プレイリストまたは仮想プレイリストに基づいて再生する際の処理について、図８〜１１を参照して説明する。
【００９５】
まず、ユーザの操作によりユーザ入力部６０からハードディスク４０に記録されている映像コンテンツデータのプレイリスト名リスト表示が要求される（Ｓ３１）と、ハードディスク４０に記録されている映像コンテンツデータのプレイリストのうち、再生プロテクトが設定されていない実体プレイリストおよび仮想プレイリストに対応するプレイリスト名リストがプレイリスト名リスト生成部３７で生成され、表示制御部５０を経由し、外部の表示装置２００に図９に示すように表示される（Ｓ３２）。
【００９６】
図９は、プレイリスト名リスト生成部３７で生成された仮想プレイリストのプレイリスト名リストが表示装置２００に表示された状態を示す一例であり、ハードディスク４０に記録されている映像コンテンツである「ニッパー物語」、「ホラーＨ」、「サッカー  ニッパー杯」の仮想プレイリストに対応するプレイリスト名リスト２０１、および視聴制限されている映像コンテンツの実体プレイリストに対応するプレイリスト名リストを表示させるための視聴制限解除ボタン２０２が表示されている。
【００９７】
図９においては、この３つの映像コンテンツのうち、「ホラーＨ」の一部に視聴制限があるものとする。
【００９８】
次に、ユーザの操作によりユーザ入力部６０で視聴制限解除ボタン２０２が押下される（Ｓ３３の「YES」）と、図１０に示す暗証番号入力画面２０３がプレイリスト名リスト生成部３７で生成されて表示制御部５０を経由して表示装置２００に表示される（Ｓ３４）。
【００９９】
さらにユーザ入力部６０から暗証番号が入力される（Ｓ３５）と、プレイリスト名リスト生成部３７においてユーザ設定情報記憶部１１に記憶されている暗証番号と一致するか照合される（Ｓ３６）。
【０１００】
照合の結果、入力された暗証番号とユーザ設定情報記憶部１１に記憶されている暗証番号とが一致したとき（Ｓ３６の「YES」）は、実体プレイリストの視聴制限が一時的に解除され、図１１に示すように仮想プレイリストと実体プレイリストとの双方に対応したプレイリスト名リスト２０４がプレイリスト名リスト生成部３７で生成され、表示制御部５０を経由して表示装置２００に表示される（Ｓ３７）。
【０１０１】
なお視聴制限を解除するか否かは、例えば、再生プロテクトが有する変数（フラグ）に対してフラグを立てる（１にする）か、立てない（０にする）かの設定を行うことで実現される。そして、プレイリスト名リスト生成時にこのフラグが確認されることで実体プレイリストに対応するプレイリスト名の表示の可否が判断される。
【０１０２】
照合の結果、入力された暗証番号とユーザ設定情報記憶部１１に記憶されている暗証番号とが一致しないときは、ステップＳ３２の仮想プレイリストに対応するプレイリスト名リスト２０１の表示画面に戻る（Ｓ３６の「NO」）。
【０１０３】
図１１は、プレイリスト名リスト生成部３７で生成された仮想プレイリストおよび実体プレイリストのプレイリスト名リスト２０４が表示装置２００に表示された状態を示す一例であり、図９で表示された仮想プレイリストに対応するプレイリスト名リスト２０１に、「ホラーＨ」の実体プレイリストに対応する「ホラーＨ  完全版」が追加されたプレイリスト名リスト２０４が表示されている。
【０１０４】
図９のプレイリスト名リスト２０１が表示された状態、または、図１１のプレイリスト名リスト２０４が表示装置２００に表示された状態で、これらのプレイリスト名リスト２０１または２０４の中からユーザにより所望のプレイリストが選択される（Ｓ３８）と、選択されたプレイリスト情報および対応する映像コンテンツデータがハードディスク４０から取得され、選択されたプレイリストに基づいて取得された映像コンテンツデータが表示制御部５０を経由して表示装置２００に表示され再生される（Ｓ３９）。
【０１０５】
以上で、映像コンテンツ記録再生装置１において記録された映像コンテンツデータを実体プレイリストまたは仮想プレイリストに基づいて再生する際の処理が終了する。
【０１０６】
次に、図５のフローチャートに基づいて図１２（ａ）に示す映像コンテンツデータＢを映像コンテンツ記録再生装置１で受信する際の処理について説明する。
【０１０７】
図１２（ａ）の映像コンテンツデータＢは、データ位置１２１から１２２、およびデータ位置１２３から１２４のシーンのデータはコンテンツ視聴制限年齢が「１８」歳に設定されており、データ位置１２２から１２３のシーンのデータはコンテンツ視聴制限年齢が設定されていない。
【０１０８】
まず、放送受信部２０において放送局から図１２（ａ）の映像コンテンツデータＢの受信がデータ位置１２１から開始されると（Ｓ１）、受信された映像コンテンツデータＢがハードディスク４０に記録するための送出されるとともに制御部３０の視聴制限設定判断部３１に送出される。
【０１０９】
視聴制限設定判断部３１において、受信された映像コンテンツデータＢが取得されると、ユーザ設定情報記憶部１１に記憶されているユーザ視聴制限年齢と受信中の映像コンテンツデータＢに付加されているコンテンツ視聴制限年齢とが比較され、視聴制限が設定されるか否かが判断される（Ｓ２）。
【０１１０】
データ位置１２１ではコンテンツ視聴制限年齢が「１８」歳に設定されており、このコンテンツ視聴制限年齢がユーザ視聴制限年齢である「１５」歳よりも高いため、視聴制限が設定されると判断される（Ｓ２の「YES」）。
【０１１１】
視聴制限設定判断部３１において視聴制限が設定されると判断されると、フラグ情報記憶部１３に記憶されている視聴制限コンテンツ記録済フラグが「０」であるか否かがフラグ設定部３２で判断され（Ｓ８）、「０」であれば「１」に変更されフラグ情報記憶部１３に記憶される。
【０１１２】
ここでは、フラグ情報記憶部１３に記憶されている視聴制限コンテンツ記録済フラグはデフォルト値である「０」に設定されているため（Ｓ８の「YES」）、フラグ設定部３２により「１」に変更される（Ｓ９）。
【０１１３】
ステップＳ９でフラグ設定部３２により視聴制限コンテンツ記録済フラグが「１」に変更された後（Ｓ８の「NO」）、フラグ情報記憶部１３に記憶されている仮想プレイリスト情報作成済フラグが「１」であるか否かが判断される（Ｓ１０）。
【０１１４】
ここでは、フラグ情報記憶部１３に記憶されている仮想プレイリスト情報作成済フラグはデフォルト値である「０」設定されているため（Ｓ１０の「NO」）ステップＳ６に移り、コンテンツ視聴制限情報変更認識部３３において受信中の映像コンテンツデータＢのコンテンツ視聴制限情報が変更したか否かが判断される（Ｓ６）。
【０１１５】
データ位置１２１から１２２の間はコンテンツ視聴制限情報は変更されていないため（Ｓ６の「NO」）ステップＳ７に移り、映像コンテンツデータＢの受信が終了したか否かが判断される（Ｓ７）。
【０１１６】
ここでは、映像コンテンツデータＢの受信は終了していない（Ｓ７の「NO」）ためステップＳ６に戻り、コンテンツ視聴制限情報が変更したか否かの監視が続けられる。
【０１１７】
受信中の映像コンテンツデータＢの位置がデータ位置１２２に到達しコンテンツ視聴制限情報が変更されると（Ｓ６の「YES」）ステップＳ２に戻り、視聴制限設定判断部３１においてユーザ設定情報記憶部１１に記憶されているユーザ視聴制限年齢と受信中の映像コンテンツデータＢに付加されている変更後のコンテンツ視聴制限年齢とが比較され、再度視聴制限が設定されるか否かが判断される（Ｓ２）。
【０１１８】
データ位置１２２ではコンテンツ視聴制限年齢が設定されていないため、視聴制限は設定されないと判断される（Ｓ２の「NO」）。
【０１１９】
視聴制限設定判断部３１において視聴制限が設定されないと判断されると、仮想プレイリスト情報作成済フラグが「０」であるか否かがフラグ設定部３２で判断される（Ｓ３）。
【０１２０】
ここでは、フラグ情報記憶部１３に記憶されている仮想プレイリスト情報作成済フラグはデフォルト値である「０」に設定されているため（Ｓ３の「YES」）、フラグ設定部３２により「１」に変更されフラグ情報記憶部１３に記憶される（Ｓ４）。
【０１２１】
ステップＳ４でフラグ設定部３２により仮想プレイリスト情報作成済フラグが「１」に変更されると、データ位置１２２が仮想プレイリスト情報における第３再生部分の開始位置であるIN３として仮想プレイリスト情報設定部３４で設定され、仮想プレイリスト情報記憶部１２に記録される（Ｓ５）。
【０１２２】
第３再生部分の開始位置が仮想プレイリスト情報記憶部１２に記録された後、コンテンツ視聴制限情報が変更したか否かが判断される（Ｓ６）。
【０１２３】
データ位置１２２から１２３の間はコンテンツ視聴制限情報は変更されていないため（Ｓ６の「NO」）ステップＳ７に移り、映像コンテンツデータＢの受信が終了したか否かが判断される（Ｓ７）。
【０１２４】
ここでは、映像コンテンツデータＢの受信は終了していない（Ｓ７の「NO」）ためステップＳ６に戻り、コンテンツ視聴制限情報が変更したか否かの監視が続けられる。
【０１２５】
受信中の映像コンテンツデータＢの位置がデータ位置１２３に到達しコンテンツ視聴制限情報が変更されると（Ｓ６の「YES」）ステップＳ２に戻り、視聴制限設定判断部３１においてユーザ設定情報記憶部１１に記憶されているユーザ視聴制限年齢と受信中の映像コンテンツデータＢに付加されている変更後のコンテンツ視聴制限年齢とが比較され、再度視聴制限が設定されるか否かが判断される（Ｓ２）。
【０１２６】
データ位置１２３はコンテンツ視聴制限年齢が「１８」歳に設定されており、このコンテンツ視聴制限年齢がユーザ視聴制限年齢である「１５」歳よりも高いため、視聴制限が設定されると判断される（Ｓ２の「YES」）。
【０１２７】
視聴制限設定判断部３１において視聴制限が設定されると判断されると、フラグ情報記憶部１３に記憶されている視聴制限コンテンツ記録済フラグが「０」であるか否かがフラグ設定部３２で判断される（Ｓ８）。
【０１２８】
ここでは、フラグ情報記憶部１３に記憶されている視聴制限コンテンツ記録済フラグは既に「１」に設定されているため（Ｓ８の「NO」）ステップＳ１０に移り、フラグ情報記憶部１３に記憶されている仮想プレイリスト情報作成済フラグが「１」であるか否かが判断される（Ｓ１０）。
【０１２９】
ここでは、ステップＳ１０でフラグ情報記憶部１３に記憶されている仮想プレイリスト情報作成済フラグが「１」であると判断され（Ｓ１０の「YES」）、データ位置１２３が仮想プレイリスト情報における第３再生部分の終了位置であるOUT３として仮想プレイリスト情報設定部３４で設定され、仮想プレイリスト情報記憶部１２に記録される（Ｓ１１）。
【０１３０】
第３再生部分の終了位置が仮想プレイリスト情報記憶部１２に記録されると、コンテンツ視聴制限情報変更認識部３３において受信中の映像コンテンツデータＢのコンテンツ視聴制限情報が変更したか否かが判断される（Ｓ６）。
【０１３１】
データ位置１２３から１２４の間はコンテンツ視聴制限情報は変更されていないため（Ｓ６の「NO」）ステップＳ７に移り、映像コンテンツデータＢの受信が終了したか否かが判断される（Ｓ７）。
【０１３２】
受信中の映像コンテンツデータＢの位置がデータ位置１２４に到達すると、ステップＳ６においてコンテンツ視聴制限情報が変更されていないと判断され（Ｓ６の「NO」）、且つ、ステップＳ７において映像コンテンツデータの受信が終了したと判断され（Ｓ７の「YES」）、映像コンテンツデータＢの受信時の処理が終了する。
【０１３３】
次に、映像コンテンツ記録再生装置１において受信した映像コンテンツデータＢのプレイリストを生成および記録する際の処理について、図７を参照して説明する。
【０１３４】
まず、映像コンテンツデータの記録が終了した時点で、実体プレイリスト生成部３６において映像コンテンツデータＢの全体を再生区間とする実体プレイリストが作成される（Ｓ２１）。
【０１３５】
次に実体プレイリスト生成部３６において、フラグ情報記憶部１３から視聴制限コンテンツ記録済フラグの情報が取得され、視聴制限コンテンツ記録済フラグが「１」であるか否かが判断される（Ｓ２２）。
【０１３６】
ここでは、図５のステップＳ９においてフラグ情報記憶部１３に記憶されている視聴制限コンテンツ記録済フラグが「１」に設定されている（Ｓ２２の「YES」）ため、ステップＳ２３に移り、ステップＳ２１で生成された実体プレイリストにユーザ設定情報記憶部１１に記憶された暗証番号で解除可能な再生プロテクトが設定される（Ｓ２３）。
【０１３７】
再生プロテクトが設定された実体プレイリストは、ハードディスク４０に記録される（Ｓ２４）。
【０１３８】
次に、仮想プレイリスト生成部３５において、フラグ情報記憶部１３から仮想プレイリスト情報作成済フラグの情報が取得され、仮想プレイリスト情報作成済フラグが「１」であるか否かが判断される（Ｓ２５）。
【０１３９】
ここでは、図５のステップＳ４においてフラグ情報記憶部１３に記憶されている仮想プレイリスト情報作成済みフラグが「１」に設定されている（Ｓ２５の「YES」）ため、ステップＳ２６に移り、仮想プレイリスト情報記憶部１２に記憶されている仮想プレイリスト情報の中で再生開始位置に対応する再生終了位置が未設定の再生部分があるか否かが仮想プレイリスト生成部３５で判断される（Ｓ２６）。
【０１４０】
ここでは、第３再生部分の開始位置であるIN３に対応する終了位置は設定されているため（Ｓ２６の「NO」）ステップＳ２７に移り、仮想プレイリスト生成部３５において仮想プレイリスト情報に基づいた仮想プレイリストが生成される。
【０１４１】
ここでは、図１２（ｂ）に示すように、第３再生部分であるデータ位置１２２〜１２３を再生部分とする仮想プレイリストが生成される（Ｓ２８）。
【０１４２】
生成された仮想プレイリストはハードディスク４０に記録される（Ｓ２９）。
【０１４３】
またステップＳ２２において視聴制限コンテンツ記録済フラグが「０」に設定されていると判断された場合は、ステップＳ２１で生成された実体プレイリストに再生プロテクトは設定されずにハードディスク４０に記録される（Ｓ３０）。
【０１４４】
以上で映像コンテンツデータＢのプレイリストを生成および記録する際の処理が終了する。
【０１４５】
映像コンテンツデータＢの実体プレイリストまたは仮想プレイリストに基づく再生処理については、映像コンテンツデータＡの場合と同様であるため詳細な説明は省略する。
【０１４６】
次に、図５のフローチャートに基づいて、すべてのシーンのコンテンツ視聴制限年齢が設定されていない映像コンテンツデータＣを受信する際の処理について説明する。
【０１４７】
まず、放送受信部２０において放送局から映像コンテンツデータＣの受信が開始されると（Ｓ１）、受信された映像コンテンツデータＣがハードディスク４０に記録するための送出されるとともに制御部３０の視聴制限設定判断部３１に送出される。
【０１４８】
視聴制限設定判断部３１において、受信された映像コンテンツデータＣが取得されると、ユーザ設定情報記憶部１１に記憶されているユーザ視聴制限年齢と受信中の映像コンテンツデータＣに付加されているコンテンツ視聴制限年齢とが比較され、視聴制限が設定されるか否かが判断される（Ｓ２）。
【０１４９】
映像コンテンツデータＣはすべてコンテンツ視聴制限年齢が設定されていないため、視聴制限は設定されないと判断される（Ｓ２の「NO」）。
【０１５０】
視聴制限設定判断部３１において視聴制限が設定されないと判断されると、フラグ情報記憶部１３に記憶されている仮想プレイリスト情報作成済フラグが「０」であるか否かがフラグ設定部３２で判断され（Ｓ３）、「０」であれば「１」に変更されフラグ情報記憶部１３に記憶される。
【０１５１】
ここでは、フラグ情報記憶部１３に記憶されている仮想プレイリスト情報作成済フラグはデフォルト値である「０」に設定されているため（Ｓ３の「YES」）、フラグ設定部３２により「１」に変更されフラグ情報記憶部１３に記憶される（Ｓ４）。
【０１５２】
ステップＳ４でフラグ設定部３２により仮想プレイリスト情報作成済フラグが「１」に変更されると、映像コンテンツデータＣの受信開始位置が再生部分の開始位置として仮想プレイリスト情報設定部３４で設定され、仮想プレイリスト情報記憶部１２に記録される（Ｓ５）。
【０１５３】
次に、コンテンツ視聴制限情報変更認識部３３においてコンテンツ視聴制限情報が変更したか否かが判断される（Ｓ６）。
【０１５４】
映像コンテンツデータＣはデータの終了時までコンテンツ視聴制限情報が変わらず、終了位置に到達するとステップＳ６においてコンテンツ視聴制限情報が変更されていないと判断され（Ｓ６の「NO」）、且つ、ステップＳ７において映像コンテンツデータの受信が終了したと判断され（Ｓ７の「YES」）、映像コンテンツデータＣの受信時の処理が終了する。
【０１５５】
次に、映像コンテンツ記録再生装置１において受信した映像コンテンツデータＣのプレイリストを生成および記録する際の処理について、図７を参照して説明する。
【０１５６】
まず、映像コンテンツデータの記録が終了した時点で、実体プレイリスト生成部３６において映像コンテンツデータＣの全体を再生区間とする実体プレイリストが作成される（Ｓ２１）。
【０１５７】
次に実体プレイリスト生成部３６において、フラグ情報記憶部１３から視聴制限コンテンツ記録済フラグの情報が取得され、視聴制限コンテンツ記録済フラグが「１」であるか否かが判断される（Ｓ２２）。
【０１５８】
ここでは、図５のステップＳ９においてフラグ情報記憶部１３に記憶されている視聴制限コンテンツ記録済フラグは「０」のままである（Ｓ２２の「ＮＯ」）ため実体プレイリストに再生プロテクトが設定されず、生成された実体プレイリストがハードディスク４０に記録される（Ｓ３０）。
【０１５９】
以上のように、視聴制限がない映像コンテンツデータＣにおいては再生プロテクトが設定されない実体プレイリストのみが生成され記録される。
【０１６０】
映像コンテンツデータＣの仮想プレイリストに基づく再生処理については、映像コンテンツデータＡの場合と同様であるため詳細な説明は省略する。
【０１６１】
次に、図５のフローチャートに基づいて、すべてのシーンのコンテンツ視聴制限年齢が「１８」歳に設定されている映像コンテンツデータＤを受信する際の処理について説明する。
【０１６２】
まず、放送受信部２０において放送局から映像コンテンツデータＤの受信が開始されると（Ｓ１）、受信された映像コンテンツデータＤがハードディスク４０に記録するための送出されるとともに制御部３０の視聴制限設定判断部３１に送出される。
【０１６３】
視聴制限設定判断部３１において、受信された映像コンテンツデータＤが取得されると、ユーザ設定情報記憶部１１に記憶されているユーザ視聴制限年齢と受信中の映像コンテンツデータＤに付加されているコンテンツ視聴制限年齢とが比較され、視聴制限が設定されるか否かが判断される（Ｓ２）。
【０１６４】
映像コンテンツデータＤはすべてコンテンツ視聴制限年齢が「１８」歳に設定されており、このコンテンツ視聴制限年齢がユーザ視聴制限年齢である「１５」歳よりも高いため、視聴制限が設定されると判断される（Ｓ２の「YES」）。
【０１６５】
視聴制限設定判断部３１において視聴制限が設定されると判断されると、フラグ情報記憶部１３に記憶されている視聴制限コンテンツ記録済フラグが「０」であるか否かがフラグ設定部３２で判断され（Ｓ８）、「０」であれば「１」に変更されフラグ情報記憶部１３に記憶される。
【０１６６】
ここでは、フラグ情報記憶部１３に記憶されている視聴制限コンテンツ記録済フラグはデフォルト値である「０」に設定されているため（Ｓ８の「YES」）、フラグ設定部３２により「１」に変更される（Ｓ９）。
【０１６７】
ステップＳ９でフラグ設定部３２により視聴制限コンテンツ記録済フラグが「１」に変更された後（Ｓ８の「NO」）、フラグ情報記憶部１３に記憶されている仮想プレイリスト情報作成済フラグが「１」であるか否かが判断される（Ｓ１０）。
【０１６８】
ここでは、フラグ情報記憶部１３に記憶されている仮想プレイリスト情報作成済フラグはデフォルト値である「０」設定されているため（Ｓ１０の「NO」）ステップＳ６に移り、コンテンツ視聴制限情報変更認識部３３において受信中の映像コンテンツデータＤのコンテンツ視聴制限情報が変更したか否かが判断される（Ｓ６）。
【０１６９】
映像コンテンツデータＤはデータの終了時までコンテンツ視聴制限情報が変わらず、終了位置に到達するとステップＳ６においてコンテンツ視聴制限情報が変更されていないと判断され（Ｓ６の「NO」）、且つ、ステップＳ７において映像コンテンツデータの受信が終了したと判断され（Ｓ７の「YES」）、映像コンテンツデータＤの受信時の処理が終了する。
【０１７０】
次に、映像コンテンツ記録再生装置１において受信した映像コンテンツデータＤのプレイリストを生成および記録する際の処理について、図７を参照して説明する。
【０１７１】
まず、映像コンテンツデータの記録が終了した時点で、実体プレイリスト生成部３６において映像コンテンツデータＤの全体を再生区間とする実体プレイリストが作成される（Ｓ２１）。
【０１７２】
次に実体プレイリスト生成部３６において、フラグ情報記憶部１３から視聴制限コンテンツ記録済フラグの情報が取得され、視聴制限コンテンツ記録済フラグが「１」であるか否かが判断される（Ｓ２２）。
【０１７３】
ここでは、図５のステップＳ９においてフラグ情報記憶部１３に記憶されている視聴制限コンテンツ記録済フラグが「１」に設定されている（Ｓ２２の「YES」）ため、ステップＳ２３に移り、映像コンテンツデータＤの全体を再生区間として、ユーザ設定情報記憶部１１に記憶された暗証番号で解除可能な再生プロテクトを設定したプレイリストである実体プレイリストが生成される（Ｓ２３）。
【０１７４】
生成された実体プレイリストは、ハードディスク４０に記録される（Ｓ２４）。
【０１７５】
次に、仮想プレイリスト生成部３５において、フラグ情報記憶部１３から仮想プレイリスト情報作成済フラグの情報が取得され、仮想プレイリスト情報作成済フラグが「１」であるか否かが判断される（Ｓ２５）。
【０１７６】
ここでは、図５のステップＳ４においてフラグ情報記憶部１３に記憶されている仮想プレイリスト情報作成済みフラグは「０」のままである（Ｓ２５の「NO」）ため、仮想プレイリストは生成されず、処理は終了する。
【０１７７】
以上のように、すべてが視聴制限された映像コンテンツデータＤにおいては再生プロテクトを設定した実体プレイリストのみが生成され記録される。
【０１７８】
映像コンテンツデータＤの実体プレイリストまたは仮想プレイリストに基づく再生処理については、映像コンテンツデータＡの場合と同様であるため詳細な説明は省略する。
【０１７９】
以上の第１実施形態によれば、受信した映像コンテンツデータに対し、視聴制限のある部分を削除した仮想プレイリストと、視聴制限のある部分を含む場合は予め設定された暗証番号に基づいて映像コンテンツデータ全体に再生プロテクトが設定された実体プレイリストとが生成されるため、暗証番号を知らないユーザであっても、視聴制限を含む映像コンテンツデータの仮想プレイリストに基づく部分は視聴することが可能になる。
【０１８０】
また、再生プロテクトを設定した実体プレイリストは暗証番号が入力されるまでプレイリスト名リストに表示されないため、暗証番号を知らないユーザによる再生を制限することができる。
【０１８１】
《第２実施形態》
本発明の第２実施形態においては、録画された映像コンテンツデータの中のユーザにより指示された番組又はシーンの視聴を制限し、内蔵するハードディスク（ＨＤＤ）に格納するとともに外部の表示装置に表示させる映像コンテンツ記録再生装置について説明する。
【０１８２】
〈第２実施形態による映像コンテンツ記録再生装置の構成〉
本実施形態による映像コンテンツ記録再生装置２の構成を、図１３を参照して説明する。
【０１８３】
本実施形態による映像コンテンツ記録再生装置２は、記憶部１０と、放送受信部２０と、制御部３０と、データ記録部としてのハードディスク４０と、再生部としての表示制御部５０と、ユーザ入力部６０とを有する。
【０１８４】
記憶部１０は、ユーザを識別するためのユーザ特性情報としての暗証番号を記憶するユーザ特性情報記憶部１４を有する。本実施形態においては、この暗証番号により、映像コンテンツデータに設定された視聴制限を解除する権限をもつユーザを識別する。
【０１８５】
制御部３０は、仮想プレイリスト３５と、実体プレイリスト３６と、プレイリスト名リスト３７とを有する。
【０１８６】
仮想プレイリスト３５は、後述するユーザ入力部６０から入力される視聴制限を設定するための視聴制限設定指示を取得したときは、この視聴制限設定指示により視聴制限が指示された番組又はシーン以外を再生区間とするプレイリストである仮想プレイリストを生成する。
【０１８７】
実体プレイリスト生成部３６は、放送受信部２０で受信した映像コンテンツデータを録画するときには、この映像コンテンツデータの全体を再生区間として再生プロテクトを設定しないプレイリストである実体プレイリストを生成し、後述するユーザ入力部６０から入力された視聴制限設定指示を取得したときには、該当する映像コンテンツデータの全体を再生区間としてユーザ特性情報記憶部１４に記憶された暗証番号で解除可能な再生プロテクトを設定したプレイリストである実体プレイリストを生成する。
【０１８８】
ハードディスク４０、表示制御部５０、およびユーザ入力部６０の機能は、第１実施形態と同様であるため、詳細な説明は省略する。
【０１８９】
〈第２実施形態による映像コンテンツ記録再生装置の動作〉
本実施形態による映像コンテンツ記録再生装置２の動作について説明する。
【０１９０】
まず、本実施形態による映像コンテンツ記録再生装置２において、受信した映像コンテンツデータを格納する際の処理について説明する。
【０１９１】
放送受信部２０において放送局から映像コンテンツデータの受信が開始されると、受信された映像コンテンツデータがハードディスク４０に送出され、記録される。
【０１９２】
次に、映像コンテンツデータの受信が完了すると、実体プレイリスト生成部３６において受信した映像コンテンツデータの全体を再生区間とする実体プレイリストが作成される。
【０１９３】
生成された実体プレイリストにはこの時点では視聴を制限するための再生プロテクトは設定されず、ハードディスク４０に記録される。
【０１９４】
本実施形態においては、ハードディスク４０に「ニッパー物語」、「ホラーＨ」、「サッカー  ニッパー杯」の３つの映像コンテンツデータが記録されたものとする。
【０１９５】
次に、本実施形態による映像コンテンツ記録再生装置２において、記録されている映像コンテンツデータの中に視聴制限を設定する際の処理について、図１４〜図１９を参照して説明する。
【０１９６】
映像コンテンツ記録再生装置２で記録された映像コンテンツデータの中に視聴制限を設定する際には、映像コンテンツデータに設定された視聴制限を解除するためのユーザ特性情報としての暗証番号がユーザ特性情報記憶部１４に記憶されているものとする。
【０１９７】
本実施形態においては、ユーザ特性情報記憶部１４には図１４に示すように暗証番号が「１２３４」に設定されている。
【０１９８】
ユーザ特性情報記憶部１４に暗証番号が設定された状態で、まず、ユーザの操作によりユーザ入力部６０でハードディスク４０に記録されている映像コンテンツデータのプレイリスト名リスト表示が要求され（Ｓ４１）、ハードディスク４０に記録されている映像コンテンツデータのプレイリストのうち、再生プロテクトが設定されていない実体プレイリストに対応するプレイリスト名リストがプレイリスト名リスト生成部３７で生成される（Ｓ４２）。
【０１９９】
生成されたプレイリスト名リストは、表示制御部５０を経由して外部の表示装置２００に図１６に示すように表示される。
【０２００】
次に、ユーザの操作によりユーザ入力部６０から視聴制限を設定する映像コンテンツがプレイリスト名リストの中から選択され（Ｓ４３）、視聴制限を設定するための視聴制限設定指示が入力されると（Ｓ４４）、図１７に示すような視聴制限機能作成画面が表示制御部５０で生成されて表示装置２００に表示される（Ｓ４５）。
【０２０１】
本実施形態においては、ハードディスク４０に記録されている映像コンテンツデータの中の「ホラーＨ」の一部に視聴制限をかけるための視聴制限設定指示が入力されたものとする。
【０２０２】
「ホラーＨ」の映像コンテンツデータに対する視聴制限設定指示が入力され視聴制限機能作成画面が表示されると、さらにユーザの操作によりユーザ入力部６０から視聴制限を設定する映像コンテンツデータ内のデータ区間である視聴制限設定区間が入力される（Ｓ４６）。
【０２０３】
本実施形態においては、図１８に示すように、「ホラーＨ」の映像コンテンツデータの中のデータ位置１８２から１８４のシーンが視聴制限設定区間として入力されたものとする。
【０２０４】
ユーザ入力部６０からこの視聴制限設定区間が入力されると、実体プレイリスト生成部３６において、ハードディスク４０に記録された「ホラーＨ」の実体プレイリストにユーザ特性情報記憶部１４に記憶された暗証番号で解除可能な再生プロテクトが設定される（Ｓ４７）。
【０２０５】
さらに、仮想プレイリスト生成部３５においてこの視聴制限設定区間が設定された以外の再生部分のシーンを示す仮想プレイリスト情報が生成される（Ｓ４８）。
【０２０６】
本実施形態においては、「ホラーＨ」の映像コンテンツデータの番組開始位置であるデータ位置１８１から視聴制限設定区間の開始位置であるデータ位置１８２までが仮想プレイリストにおける第１再生部分であり、データ位置１８１が第１再生部分の開始位置であるIN１として設定され、データ位置１８２が第１再生部分の終了位置であるOUT１として設定される。
【０２０７】
また、視聴制限設定区間の終了位置であるデータ位置１８３から「ホラーＨ」の映像コンテンツデータの番組終了位置であるデータ１８４までが仮想プレイリストにおける第２再生部分であり、データ位置１８３が第２再生部分の開始位置であるIN2として設定され、データ位置１８４が第２再生部分の終了位置であるOUT２として設定される。
【０２０８】
これらの設定された第１再生部分および第２再生部分の開始位置および終了位置により、図１９に示すような仮想プレイリスト情報が生成される。
【０２０９】
仮想プレイリスト生成部３５において仮想プレイリスト情報が生成されると、第１再生部分であるデータ位置１８１〜１８２と、第２再生部分であるデータ位置１８３〜１８４とを再生部分とする仮想プレイリストが生成され、ハードディスク４０に記録される（Ｓ４９）。
【０２１０】
以上で「ホラーＨ」の映像コンテンツデータに視聴制限が設定されたプレイリストが生成および記録される際の処理が終了する。
【０２１１】
映像コンテンツ記録再生装置２において記録された映像コンテンツデータを実体プレイリストまたは仮想プレイリストに基づいて再生する際の処理については第１実施形態と同様であるため、詳細な説明は省略する。
【０２１２】
以上の第２実施形態によれば、第１実施形態と同様の効果が得られるとともに、受信した映像コンテンツデータに対し、視聴制限を設定するデータ区間をユーザが指定することができる。
【０２１３】
また、本実施形態においては、ユーザが視聴制限を設定するデータ区間をシーンごとに設定したが、これには限定されず、視聴制限設定区間の開始位置および終了位置を、映像コンテンツデータの再生中にユーザが指定するようにしたり、再生開始時からの時刻でユーザが指定するようにしたりしてもよい。
【０２１４】
《第３実施形態》
本発明の第３実施形態においては、放送局から受信した映像コンテンツデータを、光ディスクに格納するとともに外部の表示装置に表示させる映像コンテンツ記録再生装置について説明する。
【０２１５】
〈第３実施形態による映像コンテンツ記録再生装置の構成〉
本実施形態による映像コンテンツ記録再生装置３の構成を、図２１を参照して説明する。
【０２１６】
本実施形態による映像コンテンツ記録再生装置３は、データ記憶部として光ディスク７１を用いるための光ディスクドライブ７０を有する他は第１実施形態と同様であるため、詳細な説明は省略する。
【０２１７】
光ディスクドライブ７０は、挿入される光ディスク７１に、受信した映像コンテンツデータと、実体プレイリスト生成部３６で生成された実体プレイリストと、仮想プレイリスト生成部３５で生成された仮想プレイリストと、光ディスク７１のディレクトリ情報と、プレイリスト情報とを記録する。
【０２１８】
光ディスク７１のディレクトリ情報はディレクトリごとに生成されるものであり、このディレクトリに含まれるプレイリストの名前やプレイリスト数をプレイリスト名リストに表示させるか否かを示すフラグであるプロテクトフラグと、ユーザ設定情報記憶部１１から取得した暗証番号と、このディレクトリに記録されているプレイリスト数と、各プレイリストの情報とが格納されている。
【０２１９】
プロテクトフラグが「０」のときはこのディレクトリ内のプレイリストの情報をプレイリスト名リストに表示させ、プロテクトフラグが「１」のときはプレイリスト名リストへは表示させない。このプロテクトフラグはユーザの操作により設定可能である。
【０２２０】
光ディスク７１のディレクトリ情報の一例を図２２に示す。
【０２２１】
図２２においては、プロテクトフラグは「０」に設定され、暗証番号はユーザ設定情報記憶部１１から取得された番号「１２３４」が格納され、記録されているプレイリスト数は「３」であることが示され、この３つのプレイリストは、プレイリストテーブルＡに格納されているプレイリストＡと、プレイリストテーブルＢに格納されているプレイリストＢと、プレイリストテーブルＣに格納されているプレイリストＣであることが示されている。
【０２２２】
光ディスク７１に記録されるプレイリスト情報は、ディレクトリ情報に格納されているプレイリストごとに記録されるものであり、各プレイリストのプレイリスト名と、記録日時と、このプレイリストをプレイリスト名リストに表示させ再生させるか否かを示すフラグである再生プロテクトフラグとが格納されている。
【０２２３】
再生プロテクトフラグが「０」のときはこのディレクトリ内のプレイリストの情報をプレイリスト名リストに表示させるとともに再生を許可し、再生プロテクトフラグが「１」のときはプレイリスト名リストへは表示させず再生を禁止する。
【０２２４】
光ディスク７１に記録されるプレイリスト情報の一例を図２３に示す。
【０２２５】
図２３は、図２２のディレクトリの中に含まれるプレイリストのうちの１つである「ホラーＨ  完全版」に関するプレイリスト情報であり、このプレイリストの記録日時が「2006年1月1日」であり、再生プロテクトフラグが「１」に設定されプレイリスト名リストへの表示および再生が制限されている。
【０２２６】
光ディスク７１のディレクトリ情報内の暗証番号は、このディレクトリ情報のプロテクトフラグおよびこのディレクトリに含まれるプレイリストの再生プロテクトフラグがデフォルト状態においてすべて「０」のときは未設定であり、プロテクトフラグまたはいずれかの再生プロテクトフラグが「１」に設定されたときにユーザ設定情報記憶部１１から暗証番号が取得されて設定される。またはユーザが任意に設定することも可能である。
【０２２７】
〈第３実施形態による映像コンテンツ記録再生装置の動作〉
本実施形態による映像コンテンツ記録再生装置３の動作について、図５、図７、および図８を参照して説明する。
【０２２８】
映像コンテンツ記録再生装置３で映像コンテンツデータを受信する際には、ユーザ設定情報記憶部１１には予めユーザにより設定される視聴制限基準情報としてのユーザ視聴制限年齢と、このユーザ視聴制限年齢に基づいて映像コンテンツデータに設定された視聴制限を解除するためのユーザ特性情報としての暗証番号とからなるユーザ設定情報が記憶されており、且つ、光ディスクドライブ７０に挿入された光ディスク７１にユーザ設定情報記憶部１１から取得された暗証番号が記憶されているものとする。
【０２２９】
まず、放送受信部２０において放送局から映像コンテンツデータの受信が開始されると（Ｓ１）、受信された映像コンテンツデータが光ディスク７１に記録するために送出されるとともに制御部３０の視聴制限設定判断部３１に送出される。
【０２３０】
図５のステップＳ２〜Ｓ１１に示す映像コンテンツの受信処理は第１実施形態と同様であるため、詳細な説明は省略する。
【０２３１】
次に、映像コンテンツ記録再生装置３において受信した映像コンテンツデータのプレイリストを生成および記録する際の処理について、図７を参照して説明する。
【０２３２】
まず、映像コンテンツデータの記録が終了した時点で、実体プレイリスト生成部３６において映像コンテンツデータＡの全体を再生区間とする実体プレイリストが作成される（Ｓ２１）。
【０２３３】
次に実体プレイリスト生成部３６において、フラグ情報記憶部１３から視聴制限コンテンツ記録済フラグの情報が取得され、視聴制限コンテンツ記録済フラグが「１」であるか否かが判断される（Ｓ２２）。
【０２３４】
視聴制限コンテンツ記録済フラグが「１」であるとき（Ｓ２２の「YES」）は、ステップＳ２３に移り、ステップＳ２１で生成された実体プレイリストにユーザ設定情報記憶部１１に記憶された暗証番号で解除可能な再生プロテクトが設定される（Ｓ２３）。
【０２３５】
このとき光ディスク７１のディレクトリ情報の暗証番号が未設定であれば、ユーザ設定情報記憶部１１から暗証番号が取得され、ディレクトリ情報に設定される。
【０２３６】
再生プロテクトが設定された実体プレイリストは、光ディスクドライブ７０により光ディスク７１に記録される（Ｓ２４）。
【０２３７】
再生プロテクトが設定された実体プレイリストが光ディスク７１に記録される際には、記録される光ディスク７１のディレクトリのディレクトリ情報内に再生プロテクトフラグが「１」のプレイリスト情報が新たに追加されるとともに、ディレクトリ情報内のプレイリスト数が更新される。
【０２３８】
また、視聴制限コンテンツ記録済フラグが「０」であるとき（Ｓ２２の「ＮＯ」）は、再生プロテクトが設定されていない実体プレイリストが光ディスクドライブ７０により光ディスク７１に記録され（Ｓ３０）、さらに光ディスク７１のディレクトリのディレクトリ情報内に再生プロテクトフラグが「０」の実体プレイリスト情報が新たに追加されるとともに、ディレクトリ情報内のプレイリスト数が更新される。
【０２３９】
次に、仮想プレイリスト生成部３５において、フラグ情報記憶部１３から仮想プレイリスト情報作成済フラグの情報が取得され、仮想プレイリスト情報作成済フラグが「１」であるか否かが判断される（Ｓ２５）。
【０２４０】
仮想プレイリスト情報作成済フラグが「１」であるとき（Ｓ２５の「YES」）は、ステップＳ２６に移り、仮想プレイリスト情報記憶部１２に記憶されている仮想プレイリスト情報の中で再生開始位置に対応する再生終了位置が未設定の再生部分があるか否かが仮想プレイリスト生成部３５で判断され、再生終了位置が未設定の再生部分があれば受信終了位置が再生終了位置として設定されて仮想プレイリストが生成される（Ｓ２６、Ｓ２７、Ｓ２８）。
【０２４１】
生成された仮想プレイリストは、光ディスクドライブ７０により光ディスク７１に記録される（Ｓ２９）。
【０２４２】
仮想プレイリストが光ディスク７１に記録される際には、記録される光ディスク７１のディレクトリ情報内のプレイリスト数が更新される。
【０２４３】
仮想プレイリスト情報作成済フラグが「０」であるとき（Ｓ２４の「NO」）は、仮想プレイリストは生成されず、処理は終了する。
【０２４４】
次に、映像コンテンツ記録再生装置３において記録された映像コンテンツデータを実体プレイリストまたは仮想プレイリストの情報に基づいて再生する際の処理について、図８を参照して説明する。
【０２４５】
まず、ユーザの操作によりユーザ入力部６０から光ディスク７１に記録されている映像コンテンツデータのプレイリスト名リスト表示が要求される（Ｓ３１）と、光ディスク７１に記録されている映像コンテンツデータのプレイリストのうち、プロテクトフラグが「０」のディレクトリの中の再生プロテクトフラグが「０」の実体プレイリストおよび仮想プレイリストのプレイリスト名リストがプレイリスト名リスト生成部３７で生成され、表示制御部５０を経由し、外部の表示装置２００に表示される（Ｓ３２）。
【０２４６】
次に、ユーザの操作によりユーザ入力部６０で視聴制限解除ボタン２０２が押下される（Ｓ３３の「YES」）と、暗証番号入力画面２０３がプレイリスト名リスト生成部３７で生成されて表示制御部５０を経由して表示装置２００に表示される（Ｓ３４）。
【０２４７】
さらにユーザ入力部６０から暗証番号が入力される（Ｓ３５）と、プレイリスト名リスト生成部３７において光ディスク７１のディレクトリ情報に記憶されている暗証番号と一致するか照合される（Ｓ３６）。
【０２４８】
照合の結果、入力された暗証番号と光ディスク７１のディレクトリ情報に記憶されている暗証番号とが一致したとき（Ｓ３６の「YES」）は、プロテクトフラグおよび再生プロテクトフラグにより制限されているプレイリストの視聴制限が一時的に解除され、すべての仮想プレイリストと実体プレイリストとの双方に対応したプレイリスト名リストがプレイリスト名リスト生成部３７で生成され、表示制御部５０を経由して表示装置２００に表示される（Ｓ３７）。
【０２４９】
照合の結果、入力された暗証番号と光ディスク７１のディレクトリ情報に記憶されている暗証番号とが一致しないときは、ステップＳ３２の仮想プレイリストに対応するプレイリスト名リスト２０１の表示画面に戻る（Ｓ３６の「NO」）。
【０２５０】
ステップＳ３２またはステップＳ３７において生成されたプレイリスト名リストが表示装置２００に表示された状態で、これらのプレイリスト名リストの中からユーザにより所望のプレイリストが選択される（Ｓ３８）と、選択されたプレイリスト情報および対応する映像コンテンツデータが光ディスク７１から取得され、選択されたプレイリストに基づいて取得された映像コンテンツデータが表示制御部５０を経由して表示装置２００に表示され再生される（Ｓ３９）。
【０２５１】
以上で、映像コンテンツ記録再生装置３において記録された映像コンテンツデータを実体プレイリストまたは仮想プレイリストの情報に基づいて再生する際の処理が終了する。
【０２５２】
以上の第３実施形態によれば、第１実施形態と同様の効果が得られるとともに、映像コンテンツデータが記録された光ディスクを他の映像コンテンツ記録再生装置で再生させる際にも、この映像コンテンツ記録再生装置に設定された視聴制限基準情報に従ってパレンタル制御機能を利用することが可能になる。
【０２５３】
また、本実施形態においては、データ記録部として光ディスクを用いた場合について説明したが、これには限定されず、メモリカードなどの半導体メディアを用いてもよい。
【０２５４】
また、本実施形態においては、光ディスクに記録する暗証番号はユーザ設定情報記憶部から取得する場合について説明したが、これには限定されず、ユーザに暗証番号の設定を促し、これに対して入力された情報を暗証番号として設定するようにしてもよい。
【０２５５】
また、第１実施形態および第３実施形態においては、視聴制限基準情報として視聴制限年齢を用いた場合について説明したが、これには限定されず、視聴制限基準情報としてユーザにより設定された番組名、シーン名、番組情報に含まれるキーワードが、コンテンツ視聴制限情報としてのデジタル放送に含まれるＥＰＧに含まれるか否かにより視聴制限を行うようにしてもよい。
【０２５６】
《第４実施形態》
本発明の第４実施形態においては、録画された映像コンテンツデータの中のユーザにより指示された番組又はシーンの視聴を制限して光ディスクに格納するとともに外部の表示装置に表示させる映像コンテンツ記録再生装置について説明する。
【０２５７】
〈第４実施形態による映像コンテンツ記録再生装置の構成〉
本実施形態による映像コンテンツ記録再生装置４の構成を、図２０を参照して説明する。
【０２５８】
本実施形態による映像コンテンツ記録再生装置４は、データ記憶部として光ディスク７１を用いるための光ディスクドライブ７０を有する他は第２実施形態と同様であるため、詳細な説明は省略する。
【０２５９】
また、光ディスクドライブ７０に挿入される光ディスク７１に記録される情報は、第３実施形態と同様であるため、詳細な説明は省略する。
【０２６０】
〈第４実施形態による映像コンテンツ記録再生装置の動作〉
本実施形態による映像コンテンツ記録再生装置４の動作について説明する。
【０２６１】
まず、本実施形態による映像コンテンツ記録再生装置４において、受信した映像コンテンツデータを格納する際の処理について説明する。
【０２６２】
放送受信部２０において放送局から映像コンテンツデータの受信が開始されると、受信された映像コンテンツデータが光ディスクドライブ７０に挿入された光ディスク７１に送出され、記録される。
【０２６３】
次に、映像コンテンツデータの受信が完了すると、実体プレイリスト生成部３６において受信した映像コンテンツデータの全体を再生区間とする実体プレイリストが作成される。
【０２６４】
生成された実体プレイリストはこの時点では視聴を制限するための再生プロテクトは設定されずに、光ディスクドライブ７０に挿入された光ディスク７１に記録される。
【０２６５】
本実施形態においては、光ディスク７１に「ニッパー物語」、「ホラーＨ」、「サッカー  ニッパー杯」の３つの映像コンテンツデータが記録されたものとする。
【０２６６】
次に、本実施形態による映像コンテンツ記録再生装置４において、記録されている映像コンテンツデータの中に視聴制限を設定する際の処理について、図１４〜図１９を参照して説明する。
【０２６７】
映像コンテンツ記録再生装置４で記録された映像コンテンツデータの中に視聴制限を設定する際には、映像コンテンツデータに設定された視聴制限を解除するためのユーザ特性情報としての暗証番号がユーザ特性情報記憶部１４に記憶されており、且つ、光ディスクドライブ７０に挿入された光ディスク７１にユーザ特性情報記憶部１４から取得された暗証番号が記憶されているものとする。
【０２６８】
本実施形態においては、ユーザ特性情報記憶部１４および光ディスク７１には図１４に示すように暗証番号が「１２３４」に設定されている。
【０２６９】
ユーザ特性情報記憶部１４および光ディスク７１に暗証番号が設定された状態で、まず、ユーザの操作によりユーザ入力部６０で光ディスク７１に記録されている映像コンテンツデータのプレイリスト名リスト表示が要求され（Ｓ４１）、光ディスク７１に記録されている映像コンテンツデータのプレイリストのうち、プロテクトフラグが「０」のディレクトリの中の再生プロテクトフラグが「０」の実体プレイリストおよび仮想プレイリストのプレイリスト名リストがプレイリスト名リスト生成部３７で生成される（Ｓ４２）。
【０２７０】
生成されたプレイリスト名リストは、表示制御部５０を経由して外部の表示装置２００に図１６に示すように表示される。
【０２７１】
次に、ユーザの操作によりユーザ入力部６０から視聴制限を設定する映像コンテンツがプレイリスト名リストの中から選択され（Ｓ４３）、視聴制限を設定するための視聴制限設定指示が入力されると（Ｓ４４）、図１７に示すような視聴制限機能作成画面が表示制御部５０で生成されて表示装置２００に表示される（Ｓ４５）。
【０２７２】
本実施形態においては、光ディスク７１に記録されている映像コンテンツデータの中の「ホラーＨ」の一部に視聴制限をかけるための視聴制限設定指示が入力されたものとする。
【０２７３】
「ホラーＨ」の映像コンテンツデータに対する視聴制限設定指示が入力され視聴制限機能作成画面が表示されると、さらにユーザの操作によりユーザ入力部６０から視聴制限を設定する映像コンテンツデータ内のデータ区間である視聴制限設定区間が入力される（Ｓ４６）。
【０２７４】
本実施形態においては、図１８に示すように、「ホラーＨ」の映像コンテンツデータの中のデータ位置１８２から１８４のシーンが視聴制限設定区間として入力されたものとする。
【０２７５】
ユーザ入力部６０からこの視聴制限設定区間が入力されると、実体プレイリスト生成部３６において、光ディスク７１に記録された「ホラーＨ」の実体プレイリストに光ディスク７１に記憶された暗証番号で解除可能な再生プロテクトが設定され、この実体プレイリストの再生プロテクトフラグが「１」に設定される（Ｓ４７）。
【０２７６】
さらに、仮想プレイリスト生成部３５においてこの視聴制限設定区間が設定された以外の再生部分のシーンを示す仮想プレイリスト情報が生成される（Ｓ４８）。
【０２７７】
仮想プレイリスト生成部３５において仮想プレイリスト情報が生成されると、この仮想プレイリスト情報に基づいて仮想プレイリストが生成され、光ディスク７１に記録される（Ｓ４９）。
【０２７８】
以上で「ホラーＨ」の映像コンテンツデータのプレイリストを生成および記録する際の処理が終了する。
【０２７９】
映像コンテンツ記録再生装置４において記録された映像コンテンツデータを実体プレイリストまたは仮想プレイリストに基づいて再生する際の処理については第３実施形態と同様であるため、詳細な説明は省略する。
【０２８０】
以上の第４実施形態によれば、第３実施形態と同様の効果が得られるとともに、受信した映像コンテンツデータに対し、視聴制限を設定するデータ区間をユーザが指定することができる。
【０２８１】
また、本実施形態においては、ユーザが視聴制限を設定するデータ区間をシーンごとに設定したが、これには限定されず、視聴制限設定区間の開始位置および終了位置を、映像コンテンツデータの再生中にユーザが指定するようにしたり、再生開始時からの時刻でユーザが指定するようにしたりしてもよい。
【０２８２】
また、第１実施形態〜第４実施形態においては、放送局から受信した映像コンテンツを受信した場合について説明したが、これには限定されず、インターネットで配信されている映像コンテンツを受信して用いてもよい。
【０２８３】
また、第１実施形態〜第４実施形態においては、ユーザ特性情報として暗証番号を用いた場合について説明したが、これには限定されず、ユーザを識別できる情報であれば生体認証に用いる情報などでもよい。
【０２８４】
また、第１実施形態〜第４実施形態の映像コンテンツ記録再生装置の機能構成をプログラム化してコンピュータに組み込むことにより、当該コンピュータを映像コンテンツ記録再生装置として機能させる映像コンテンツ記録再生プログラムを構築することも可能である。
【図面の簡単な説明】
【０２８５】
【図１】本発明の第１実施形態による映像コンテンツ記録再生装置の構成を示すブロック図である。
【図２】本発明の第１実施形態および第３実施形態による映像コンテンツ記録再生装置の記憶部に記憶されるユーザ設定情報を示す表である。
【図３】本発明の第１実施形態および第３実施形態による映像コンテンツ記録再生装置の記憶部に記憶されるフラグ情報を示す表である。
【図４】本発明の第１実施形態および第３実施形態による映像コンテンツ記録再生装置の記憶部に記憶される仮想プレイリスト情報を示す表である。
【図５】本発明の第１実施形態および第３実施形態による映像コンテンツ記録再生装置における映像コンテンツデータの受信処理の動作を示すフローチャートである。
【図６】本発明の第１実施形態による映像コンテンツ記録再生装置において受信する映像コンテンツデータＡと、生成される仮想プレイリストおよび実体プレイリストとを示す説明図である。
【図７】本発明の第１実施形態および第３実施形態による映像コンテンツ記録再生装置におけるプレイリストの生成および記録処理の動作を示すフローチャートである。
【図８】本発明の第１実施形態および第３実施形態による映像コンテンツ記録再生装置における映像コンテンツデータの再生処理の動作を示すフローチャートである。
【図９】本発明の第１実施形態および第３実施形態による映像コンテンツ記録再生装置において生成される仮想プレイリストのプレイリスト名リストが表示された状態を示す画面表示図である。
【図１０】本発明の第１実施形態および第３実施形態による映像コンテンツ記録再生装置において生成される暗証番号入力画面が表示された状態を示す画面表示図である。
【図１１】本発明の第１実施形態および第３実施形態による映像コンテンツ記録再生装置において生成される仮想プレイリストおよび実体プレイリストのプレイリスト名リストが表示された状態を示す画面表示図である。
【図１２】本発明の第１実施形態による映像コンテンツ記録再生装置において受信する映像コンテンツデータＢと、生成される仮想プレイリストおよび実体プレイリストとを示す説明図である。
【図１３】本発明の第２実施形態による映像コンテンツ記録再生装置の構成を示すブロック図である。
【図１４】本発明の第２実施形態および第４実施形態による映像コンテンツ記録再生装置の記憶部に記憶されるユーザ設定情報を示す表である。
【図１５】本発明の第２実施形態および第４実施形態による映像コンテンツ記録再生装置におけるプレイリストの生成および記録処理の動作を示すフローチャートである。
【図１６】本発明の第２実施形態および第４実施形態による映像コンテンツ記録再生装置において生成される再生プロテクトが設定されていない実体プレイリストのプレイリスト名リストが表示された状態を示す画面表示図である。
【図１７】本発明の第２実施形態および第４実施形態による映像コンテンツ記録再生装置において生成される視聴制限機能作成画面が表示された状態を示す画面表示図である。
【図１８】本発明の第２実施形態および第４実施形態による映像コンテンツ記録再生装置において受信する映像コンテンツデータと、生成される仮想プレイリストおよび実体プレイリストとを示す説明図である。
【図１９】本発明の第２実施形態および第４実施形態による映像コンテンツ記録再生装置の記憶部に記憶される仮想プレイリスト情報を示す表である。
【図２０】本発明の第３実施形態による映像コンテンツ記録再生装置の構成を示すブロック図である。
【図２１】本発明の第３実施形態による映像コンテンツ記録再生装置の記録媒体に記録されるディレクトリ情報を示す表である。
【図２２】本発明の第３実施形態による映像コンテンツ記録再生装置の記録媒体に記憶されるプレイリスト情報を示す表である。
【図２３】本発明の第４実施形態による映像コンテンツ記録再生装置の構成を示すブロック図である。
【符号の説明】
【０２８６】
１…映像コンテンツ記録再生装置
２…映像コンテンツ記録再生装置
１０…記憶部
１１…ユーザ設定情報記憶部
１２…仮想プレイリスト情報記憶部
１３…フラグ情報記憶部
１４…ユーザ特性情報記憶部
２０…放送受信部
３０…制御部
３１…視聴制限設定判断部
３２…フラグ設定部
３３…コンテンツ視聴制限情報変更認識部
３４…仮想プレイリスト情報設定部
３５…仮想プレイリスト生成部
３６…実体プレイリスト生成部
３７…プレイリスト名リスト生成部
４０…ハードディスク
５０…表示制御部
６０…ユーザ入力部
７０…光ディスクドライブ
７１…光ディスク
１００…放送局
２００…表示装置
２０１，２０４…プレイリスト名リスト
２０２…視聴制限解除ボタン
２０３…暗証番号入力画面
【図１】
2008104137.tif 000003
【図２】
2008104137.tif 000004
【図３】
2008104137.tif 000005
【図４】
2008104137.tif 000006
【図５】
2008104137.tif 000007
【図６】
2008104137.tif 000008
【図７】
2008104137.tif 000009
【図８】
2008104137.tif 000010
【図９】
2008104137.tif 000011
【図１０】
2008104137.tif 000012
【図１１】
2008104137.tif 000013
【図１２】
2008104137.tif 000014
【図１３】
2008104137.tif 000015
【図１４】
2008104137.tif 000016
【図１５】
2008104137.tif 000017
【図１６】
2008104137.tif 000018
【図１７】
2008104137.tif 000019
【図１８】
2008104137.tif 000020
【図１９】
2008104137.tif 000021
【図２０】
2008104137.tif 000022
【図２１】
2008104137.tif 000023
【図２２】
2008104137.tif 000024
【図２３】
2008104137.tif 000025